(57)【特許請求の範囲】
【請求項１】
入力された画像データについて、隣接する画素どうしの画素値を比較して、画素値が極小あるいは極大となる画素（以下、ピーク画素）を判定し、ピーク画素に隣接する画素の画素値を該ピーク画素の画素値に近付けるように補正する画像処理方法であって、
入力された画像データの各画素を補正対象画素とし、前記補正対象画素に隣接する一方の画素を第１の参照画素、他方の画素を第３の参照画素、前記補正対象画素から前記第１の参照画素を挟んだ位置に位置する画素を第２の参照画素として、
前記第１の参照画素と前記補正対象画素、前記補正対象画素と前記第３の参照画素、及び前記第１の参照画素と前記第２の参照画素の画素値を比較して、前記第１の参照画素がピーク画素とになるか判定し、ピーク画素と判定された場合に、前記補正対象画素の画素値を前記第１の参照画素の画素値に近付けるように補正することを特徴とする画像処理方法。
【請求項２】
少なくとも一方向に対して前記第１の参照画素の画素値が前記補正対象画素の画素値未満であり、前記第３の参照画素が前記補正対象画素の画素値以上であり、かつ、前記第１の参照画素の画素値が前記第２の参照画素の画素値未満である補正条件を満たす場合に、前記補正対象画素の画素値を前記第１の参照画素の画素値に近付けるように補正することを特徴とする請求項１記載の画像処理方法。
【請求項３】
画像データの各画素が複数の原色成分（以下、色成分）で構成され、全ての色成分にて前記第３の参照画素が前記補正対象画素の画素値以上であり、前記第１の参照画素の画素値が前記第２の参照画素の画素値未満であり、かつ、少なくとも一つの色成分にて前記第１の参照画素の画素値が前記補正対象画素の画素値未満である補正条件を満たす場合に、前記補正対象画素の画素値を前記第１の参照画素の画素値に近付けるように補正することを特徴とする請求項２記載の画像処理方法。
【請求項４】
少なくとも一方向に対して前記補正対象画素の画素値が前記第１の参照画素の画素値未満であり、前記第３の参照画素が前記補正対象画素の画素値以下であり、かつ、前記第２の参照画素の画素値が前記第１の参照画素の画素値未満である補正条件を満たす場合に、前記補正対象画素の画素値を前記第１の参照画素の画素値に近付けるように補正することを特徴とする請求項１記載の画像処理方法。
【請求項５】
画像データの各画素が複数の原色成分（以下、色成分）で構成され、全ての色成分にて前記第３の参照画素が前記補正対象画素の画素値以下であり、前記第２の参照画素の画素値が前記第１の参照画素の画素値未満であり、かつ、少なくとも一つの色成分にて前記補正対象画素の画素値が前記第１の参照画素の画素値未満である補正条件を満たす場合に、前記補正対象画素の画素値を前記第１の参照画素の画素値に近付けるように補正することを特徴とする請求項４記載の画像処理方法。
【請求項６】
少なくとも一方向に対して、前記第１の参照画素の画素値が前記補正対象画素の画素値未満で、前記第３の参照画素が前記補正対象画素の画素値以上で、かつ、前記第１の参照画素の画素値が前記第２の参照画素の画素値未満であるか、前記補正対象画素の画素値が前記第１の参照画素の画素値未満で、前記第３の参照画素が前記補正対象画素の画素値以下で、かつ、前記第２の参照画素の画素値が前記第１の参照画素の画素値未満である補正条件を満たす場合に、前記補正対象画素の画素値を前記第１の参照画素の画素値に近付けるように補正することを特徴とする請求項１記載の画像処理方法。
【請求項７】
画像データの各画素が複数の原色成分（以下、色成分）で構成され、全ての色成分にて前記第３の参照画素が前記補正対象画素の画素値以上で、前記第１の参照画素の画素値が前記第２の参照画素の画素値未満で、かつ、少なくとも一つの色成分にて前記第１の参照画素の画素値が前記補正対象画素の画素値未満であるか、全ての色成分にて前記第３の参照画素が前記補正対象画素の画素値以下で、前記第２の参照画素の画素値が前記第１の参照画素の画素値未満で、かつ、少なくとも一つの色成分にて補正対象画素の画素値が前記第１の参照画素の画素値未満である補正条件を満たす場合に、前記補正対象画素の画素値を前記第１の参照画素の画素値に近付けるように補正することを特徴とする請求項６記載の画像処理方法。
【請求項８】
複数の方向にて補正条件を満たした場合、補正対象画素の画素値と第１の参照画素の画素値との差が小さい方向の第１の参照画素の画素値に基づいて補正対象画素の画素値を補正することを特徴とする請求項２乃至７のいずれか１項に記載の画像処理方法。
【請求項９】
複数の方向にて補正条件を満たした場合、補正対象画素の画素値と第１の参照画素の画素値との差が大きい方向の第１の参照画素の画素値に基づいて補正対象画素の画素値を補正することを特徴とする請求項２乃至７のいずれか１項に記載の画像処理方法。
【請求項１０】
複数の方向にて補正条件を満たした場合、満たした方向の組み合わせにより、予め定めた方向の第１の参照画素の画素値に基づいて補正対象画素の画素値を補正することを特徴とする請求項２乃至７のいずれか１項に記載の画像処理方法。
【請求項１１】
前記補正対象画素の画素値から前記第１の参照画素の画素値を引いた値に１以下の定数を掛けた値を補正値とし、前記補正対象画素の画素値から前記補正値だけ引くことで、前記補正対象画素の画素値を補正することを特徴とする請求項２乃至１０のいずれか１項に記載の画像処理方法。
【請求項１２】
複数の方向にて補正条件を満たした場合、満たした複数の方向の第１の参照画素の各画素値の中間の値に基づいて補正対象画素の画素値を補正することを特徴とする請求項２乃至７のいずれか１項に記載の画像処理方法。
【請求項１３】
補正対象画素の画素値から前記中間の値を引いた値に１以下の定数を掛けた値を補正値とし、前記補正対象画素の画素値から前記補正値だけ引くことで、前記補正対象画素の画素値を補正することを特徴とする請求項１２記載の画像処理方法。
【請求項１４】
前記画像データは原画像データに対して解像度変換処理されたものであることを特徴とする請求項１乃至１３のいずれか１項に記載の画像処理方法。
【請求項１５】
入力された画像データを記憶する入力画像データ記憶手段と、前記入力画像データ記憶手段に記憶された画像データを処理する画像処理手段と、前記画像処理手段で処理された画像データを記憶する出力画像データ記憶手段を備え、前記画像処理手段は前記請求項１乃至１４のいずれか１項に記載の画像処理方法を実施することを特徴とする画像処理装置。
【請求項１６】
請求項１５に記載の画像処理装置と、前記画像処理装置の出力画像データ記憶手段に記憶された画像データを表示する画像表示手段とを備えていることを特徴とする画像表示装置。
【請求項１７】
請求項１乃至１３のいずれか１項に記載の画像処理方法をコンピュータに実行させるためのプログラム。
【発明の詳細な説明】
【技術分野】
【０００１】
本発明は、プロジェクタ、プロジェクションディスプレイ、ヘッドマウントディスプレイなど光学系を通して画像を表示する画像表示装置に好適な画像処理技術に関する。
【背景技術】
【０００２】
従来、照明光を画像データに基づいて空間光変調して画像光として出射する画像表示素子を使用して、該画像表示素子から出射された画像光をスクリーンに表示する投射型画像表示装置などでは、画像表示素子では画素ごとに明確に区切られた範囲で各画素の表示が行われるが、それをスクリーンに拡大投射するためには各種の光学系を通して投射することが必要となる。しかし、レンズやフィルタなどの各種光学的な部品を通すごとに収差が発生し、それにより本来の画素の表示範囲外の隣接する画素にまで影響を与えることになってしまう。また画像表示素子への光源からの光の特性や、画像表示素子の光源からの光を受けて画像光を出す特性によっても、本来の画素の表示範囲外の隣接する画素にまで影響を与えることが発生することがある。隣接画素への影響が非常に狭い範囲に限定される場合には、画像表示素子の画素間にブラックマトリックスを設けることにより、その影響を防止することができるが、ブラックマトリックスにより光の利用効率が低下してしまう。この光の利用効率の低下は、影響する範囲が広くなるほど無視できないものとなることから、大きな範囲のブラックマトリックスは使用することは現実的ではなく、影響範囲が狭い場合にしか用いることができない。
【０００３】
このような場合に従来では、エッジや細部などの高周波数成分を強調するエッジ強調処理を行っていた。しかし、この方法では画素プロファイルによる影響の違いに対応することができず、改善効果は限定的であり、処理の程度が大きくなると、逆に画質を劣化させてしまう場合が発生する。また、特許文献１においては、文字などの無彩色部分を判定する手段を備えて、無彩色部分をエッジ強調処理することにより、画像を鮮明にすることが行われている。しかし、全画面で画像のボケにより周辺画素の画素値の影響を受けるような場合には、全体がボケることになることから、特定の文字などの部分だけのエッジ強調では効果が少ないか全くない場合が多くなり、画質改善効果は限定的となってしまう。
【０００４】
また、従来、特許文献２に記載のように、１フレームの画像データを複数のサブフレームの画像データに分割して、画素ずらしを行い、時分割して表示することで、画像表示素子の解像度以上の表示を実現する投射型画像表示装置が知られているが、この種の画像表示装置では、元の画素の表示範囲が表示解像度の画素の表示範囲より大きい場合には、他の画素の表示により影響を与えてしまい、画像のボケやにじみ、コントラストの低下などを発生させていた。図３６は、縦横１／２ピッチ画素ずらしを行い、各々２倍の解像度の表示を行う例であり、表示する画素の大きさは丸印１の四角の範囲であるが、画像表示素子の一画素が表示する範囲は網掛けで示したａの範囲であることから、周囲の画素の表示により大きな影響を与えてしまい、画像のボケやにじみ、コントラストの低下などが発生する。このため、特許文献１では、画像表示素子の液晶セルから出射した光が投射光学系の光軸に対して平行になるような、液晶レンズアレイの特性が凸レンズの場合には、その光路を平行光にもどすような凹レンズアレイとするような光学素子を設けることで、元の画素の表示範囲が表示解像度の画素の表示範囲と合うようにすることを行っているが、全体の液晶の特性を合わせる正確な制御と、光学素子の設置が難しく、高コストなものとなってしまう。
【０００５】
【特許文献１】特許第２９５４２３０号公報
【特許文献２】特開２００３−２２８０７２号公報
【発明の開示】
【発明が解決しようとする課題】
【０００６】
上記のような問題を解決するため、本出願人は、先に特願２００７−１２８２３５号において、画像のボケによるコントラストの低下などの影響が大きい１画素幅の画像を判別し、その周囲の画素の値を１画素幅の画像に近付けて補正することによりコントラストの低下などの影響を低減し、見易い画像を表示する方法を提案したが、その判別方法では、解像度変換により高解像度化した画像などでは、補正したい１画素幅の画像が２画素以上の幅になってしまい判別することができず、補正処理を行うことができない問題があった。そのため、コントラストの低下などの影響を低減できず、見易い画像を表示することができなかった。
【０００７】
本発明は、画像のボケによるコントラストの低下などの影響が大きい、特に細線などの周囲の画素値を解像度変換による高解像度化した後の画像においても補正し、細線などへの影響を軽減して本来の表示に近付け、より見易い画像を表示するための画像処理方法及び装置、画像表示装置並びにプログラムを提供することを目的とする。
【０００８】
詳しくは、本発明は、光学系を通して画像を表示する投射型画像表示装置、特に１フレームの画像データを複数のサブフレームの画像データに分割し、画素ずらしを行い時分割して表示することで、表示素子の解像度以上の表示を実現する投射型画像表示装置など、隣接する画素が他の画素の表示に影響を及ぼす画像表示装置に適した画像処理方法及び装置等を提供することを目的とする。
【課題を解決するための手段】
【０００９】
本発明では、解像度変換された画像データなどについて、隣接する画素どうしの画素値を比較して、画素値が極小あるいは極大となる画素（以下、ピーク画素）を判定し、ピーク画素に隣接する画素の画素値を該ピーク画素の画素値に近付けるように補正する。
【００１０】
より詳しくは、入力された画像データの各画素を補正対象画素とし、補正対象画素に隣接する一方の画素を第１の参照画素、他方の画素を第３の参照画素、補正対象画素から第１の参照画素を挟んだ位置に位置する画素を第２の参照画素として、第１の参照画素と補正対象画素、補正対象画素と第３の参照画素、及び第１の参照画素と第２の参照画素の画素値を比較して、第１の参照画素がピーク画素とになるか判定し、ピーク画素と判定された場合に、補正対象画素の画素値を第１の参照画素の画素値に近付けるように補正する。
【００１１】
ある実施形態では、少なくとも一方向に対して第１の参照画素の画素値が補正対象画素の画素値未満であり、第３の参照画素が補正対象画素の画素値以上であり、かつ、第１の参照画素の画素値が第２の参照画素の画素値未満である補正条件を満たす場合に、補正対象画素の画素値を第１の参照画素の画素値に近付けるように補正する。
【００１２】
画像データの各画素が複数の原色成分（以下、色成分）で構成されている場合には、全ての色成分にて第３の参照画素が補正対象画素の画素値以上であり、第１の参照画素の画素値が第２の参照画素の画素値未満であり、かつ、少なくとも一つの色成分にて第１の参照画素の画素値が補正対象画素の画素値未満である補正条件を満たす場合に、補正対象画素の画素値を第１の参照画素の画素値に近付けるように補正する。
【００１３】
別の実施形態では、少なくとも一方向に対して補正対象画素の画素値が第１の参照画素の画素値未満であり、第３の参照画素が補正対象画素の画素値以下であり、かつ、第２の参照画素の画素値が第１の参照画素の画素値未満である補正条件を満たす場合に、補正対象画素の画素値を第１の参照画素の画素値に近付けるように補正する。
【００１４】
画像データの各画素が複数の原色成分（以下、色成分）で構成されている場合には、全ての色成分にて第３の参照画素が補正対象画素の画素値以下であり、第２の参照画素の画素値が第１の参照画素の画素値未満であり、かつ、少なくとも一つの色成分にて補正対象画素の画素値が第１の参照画素の画素値未満である補正条件を満たす場合に、補正対象画素の画素値を第１の参照画素の画素値に近付けるように補正する。
【００１５】
さらに別の実施形態では、少なくとも一方向に対して、第１の参照画素の画素値が補正対象画素の画素値未満で、第３の参照画素が補正対象画素の画素値以上で、かつ、第１の参照画素の画素値が第２の参照画素の画素値未満であるか、補正対象画素の画素値が第１の参照画素の画素値未満で、第３の参照画素が補正対象画素の画素値以下で、かつ、第２の参照画素の画素値が第１の参照画素の画素値未満である補正条件を満たす場合に、補正対象画素の画素値を第１の参照画素の画素値に近付けるように補正する。
【００１６】
画像データの各画素が複数の原色成分（以下、色成分）で構成されたてる場合には、全ての色成分にて第３の参照画素が補正対象画素の画素値以上で、第１の参照画素の画素値が第２の参照画素の画素値未満で、かつ、少なくとも一つの色成分にて第１の参照画素の画素値が補正対象画素の画素値未満であるか、全ての色成分にて第３の参照画素が補正対象画素の画素値以下で、第２の参照画素の画素値が第１の参照画素の画素値未満で、かつ、少なくとも一つの色成分にて補正対象画素の画素値が第１の参照画素の画素値未満である補正条件を満たす場合に、補正対象画素の画素値を第１の参照画素の画素値に近付けるように補正する。
【００１７】
また、複数の方向にて補正条件を満たした場合、補正対象画素の画素値と第１の参照画素の画素値との差が小さい方向の第１の参照画素の画素値に基づいて補正対象画素の画素値を補正する。
【００１８】
また、複数の方向にて補正条件を満たした場合、補正対象画素の画素値と第１の参照画素の画素値との差が大きい方向の第１の参照画素の画素値に基づいて補正対象画素の画素値を補正する。
【００１９】
また、複数の方向にて補正条件を満たした場合、満たした方向の組み合わせにより、予め定めた方向の第１の参照画素の画素値に基づいて補正対象画素の画素値を補正する。
【００２０】
具体的には、補正対象画素の画素値から第１の参照画素の画素値を引いた値に１以下の定数を掛けた値を補正値とし、補正対象画素の画素値から補正値だけ引くことで、補正対象画素の画素値を補正する。
【００２１】
また、複数の方向にて補正条件を満たした場合、満たした複数の方向の第１の参照画素の各画素値の中間の値に基づいて補正対象画素の画素値を補正する。
【００２２】
具体的には、補正対象画素の画素値から中間の値を引いた値に１以下の定数を掛けた値を補正値とし、補正対象画素の画素値から前記補正値だけ引くことで、補正対象画素の画素値を補正する。
【発明の効果】
【００２３】
本発明によれば、画像のボケによるコントラストの低下などの影響が大きい、特に細線などの周囲の画素値を解像度変換により高解像度化した後の画像においても、細線などの鮮明な画像を得ることができ、本来の表示に近付け、より見易い画像を表示することができる。特に隣接する画素が他の画素の表示に影響を及ぼす画像表示装置に適用して効果が大である。
【００２４】
一実施形態では、少なくとも一方向に対して第１の参照画素の画素値が補正対象画素の画素値未満であり、第３の参照画素が補正対象画素の画素値以上であり、かつ、第１の参照画素の画素値が第２の参照画素の画素値未満である補正条件を満たす場合に、補正対象画素の画素値を第１の参照画素の画素値に近付けるように補正することで、明るい補正対象画素の暗い隣接画素表示への影響による浮き上がりを押さえ、コントラストが向上した見易い画像を表示することができる。
【００２５】
画像データの各画素が複数の原色成分（以下、色成分）で構成されている場合には、全ての色成分にて第３の参照画素が前記補正対象画素の画素値以上であり、第１の参照画素の画素値が第２の参照画素の画素値未満であり、かつ、少なくとも一つの色成分にて前記第１の参照画素の画素値が補正対象画素の画素値未満である補正条件を満たす場合に、補正対象画素の画素値を第１の参照画素の画素値に近付けるように補正することで、明るい補正対象画素の暗い隣接画素表示への影響による浮き上がりを押さえ、色バランスがとれ、コントラストが向上した見易い画像を表示することができる。
【００２６】
別の実施形態では、少なくとも一方向に対して補正対象画素の画素値が第１の参照画素の画素値未満であり、第３の参照画素が前記補正対象画素の画素値以下であり、かつ、第２の参照画素の画素値が第１の参照画素の画素値未満である補正条件を満たす場合に、補正対象画素の画素値を第１の参照画素の画素値に近付けるように補正することで、暗い補正対象画素の明るい隣接画素表示への影響による沈み込みを押さえ、コントラストが向上した見易い画像を表示することができる。
【００２７】
画像データの各画素が複数の原色成分（以下、色成分）で構成されている場合には、全ての色成分にて第３の参照画素が補正対象画素の画素値以下であり、第２の参照画素の画素値が第１の参照画素の画素値未満であり、かつ、少なくとも一つの色成分にて補正対象画素の画素値が第１の参照画素の画素値未満である補正条件を満たす場合に、補正対象画素の画素値を第１の参照画素の画素値に近付けるように補正することで、暗い隣接画素の明るい補正画素表示への影響による沈み込みを押さえ、色バランスがとれ、コントラストが向上した見易い画像を表示することができる。
【００２８】
なお、本発明の上記以外の種々の実施形態における効果については、後の実施形態の説明で述べることにする。
【発明を実施するための最良の形態】
【００２９】
図１は本発明が適用される画像表示装置の一実施形態のブロック図を示す。入力画像データ（例えば、解像度変換された画像データ）は、画素、ライン、フレーム等の単位で一旦、入力画像データ記憶部１０に格納され、順次、画像処理部２０に送られる。画像処理部２０は機能的に補正条件判定部２２と補正式選択部２４と画素補正処理部２６とに分かれる。なお、補正式選択部２４は、後述するように実施形態によっては不使用となる。
【００３０】
補正条件判定部２２は、入力画像データ記憶部１０から送られてくる入力画像データについて、各画素毎に、当該画素を補正対象画素として、水平方向や垂直方向（一般には、少なくとも一方向）の隣接する所定の画素を参照画素として、所定の補正条件を満たすか否か判定する。補正式選択部２４を使用しない場合、画素補正処理部２６は、補正条件判定部２２の判定結果をもとに、入力画像データの各画素（補正対象画素）について、順次、補正条件を満たす場合は所定の補正式にて補正処理を行い、満たさない場合はそのままとして、出力画像データを生成する。
【００３１】
一方、補正式選択部２４は、補正条件判定部２２の判定結果をもとに補正式を選択するもので、水平と垂直の両方向（一般には複数方向）にて補正条件を満たした場合、あらかじめ定めたいずれかの方向の補正式あるいは別の第３の補正式等を選択する。この補正式選択部２４を使用した場合、画素補正処理部２６は、補正対象画素について、補正式選択部２４で選択された補正式にて補正処理を行う。
【００３２】
出力画像データは、出力画像データ記憶部３０に格納された後、投射型画像表示装置などの表示部４０に送られて表示される。表示部４０には、例えば、特許文献２に記載のように、１フレームの画像データを複数のサブフレームの画像データに分割し、時分割で画像表示素子の解像度以上の表示を実現する表示装置等が使用される。
【００３３】
なお、図１の画像表示装置は一般にコンピュータ装置で構成され、画像処理部２０はＣＰＵとプログラム等に基づき、補正条件判定部２２と画素補正処理部２６の機能、あるいは、補正条件判定部２２と補正式選択部２４と画素補正処理部２６の機能を一緒に処理する。本発明の画像処理方法は、この画像処理部２０の処理アルゴリズムに関するが、その種々の実施例については後述する。
【００３４】
図２は後述の実施例で用いられる補正対象画素と参照画素の位置関係を示した図である。図中、Ｃ３が補正対象画素、Ａ３とＢ３とＤ３とＥ３が垂直方向の参照画素、Ｃ１とＣ２とＣ４とＣ５が水平方向の参照画素である。後述するように、水平方向に対してはＣ１〜Ｃ４あるいはＣ２〜Ｃ５により補正条件が判定され、垂直方向に対してはＡ３〜Ｄ３あるいはＢ３〜Ｅ３により補正条件が判定される。
【００３５】
一般的な投射型画像表示装置などでは、画像表示素子では画素ごとに明確に区切られた範囲で各画素の表示されるが、その後に光学系を通すことにより、画素の表示される範囲が広がり、他の画素の範囲にまで影響を与え、画像にボケが発生し、画質が劣化することがある。特に表示される１フレームの画像データを複数のサブフレームの画像データに分割し、時分割で表示素子の解像度以上の表示を実現する投射型画像表示装置では、元の画素の表示範囲が表示解像度の画素の表示範囲より大きいことが大半であり、これにより各々の画素が隣接した画素の影響を受けることとなり、画像にボケが発生して画質が劣化する。このときに１画素幅の画像が一番影響を受けてしまう。
【００３６】
ここでは、水平方向に対して浮き上がりを補正する場合を例に本発明の原理を説明する。図３は補正対象画素Ｃ３とその水平方向の参照画素Ｃ１，Ｃ２，Ｃ４，Ｃ５の補正処理前後における表示状態の一例を示す。ここで、（ａ）、（ｂ）と（ｃ）は解像度変換を行った画
像を想定し、（ｄ）は解像度変換していない画像を想定している。
【００３７】
１画素幅の黒線の場合、解像度変換を行い高解像度化した画像の１画素幅の線は、図３（ａ）のように２画素幅以上にわたって、その線を表現することとなる。そこで、解像度変換を行ったときの特徴である画素値の傾きに注目し、例えば、Ｃ１〜Ｃ４により、図３（ａ）のように補正対象画素（補間画素）Ｃ３と参照画素Ｃ１に挟まれた参照画素Ｃ２が谷底（極小）となるような場合を１画素幅の画像（黒線）と判断して、その周囲にあると判断される補正対象画素（補間画素）Ｃ３の画素値を参照画素Ｃ２の画素値に近付ける補正を行う（画素値を下げる）。同様に、Ｃ２〜Ｃ５により、図３（ｂ）のように、補正対象画素Ｃ３と参照画素Ｃ５に挟まれた参照画素Ｃ４が谷底となるような場合を１画素幅の画像と判断して、補正対象画素Ｃ３の画素値を参照画素Ｃ４の画素値に近付ける補正を行う（画素値を下げる）。これによりボケによるコントラストの低下が軽減する。図３（ｃ）の場合は２画素以上と判断し、補正対象画素Ｃ３の画素値はそのままとする（補正しない）。また、図３（ｄ）のような解像度変換していない画像でも、（ａ）と同様の補正処理を行うこととする。これにより黒線を強調することができる。なお、同様にして垂直方向に対して浮き上がりを補正することができる。
【００３８】
本発明は、上記したような画像の浮き上がりを補正する場合に限らない。逆に極大となるような場合を１画素幅の画像（白線）と判断して、画像の沈みこみを補正することも可能である。また、浮き上がりと沈み込みを同時に補正することも可能である。また、単色、カラーのいずれの画像にも適用することができる。以下、本発明の種々の実施例について詳述する。
【実施例１】
【００３９】
表示面上で隣接する画素どうしが互いに影響を及ぼすことにより、本来表示しようとする画素値との乖離が発生し、これによりコントラストの低下が発生する。この隣接画素の表示への影響を最も受ける一画素ピッチの画像を補正する。
【００４０】
本実施例は、各表示画素が単色で構成された画像において、所定の条件が満たされた場合、補正対象画素の画素値を下げることで、明るい補正対象画素の暗い隣接画素の表示への影響による画像（単色黒）の浮き上がりを押へて、コントラストが向上した見易い画像を表示するものである。
【００４１】
図４乃至図８に本実施例の処理フローチャートを示す。処理は図１の画像処理部２０が司る。なお、図７と図８が補正式選択部２４も使用する例である。以下、各処理フローチャートについて説明する。
【００４２】
図４は、各表示画素が単色で構成された画像において、隣接画素の表示への影響を最も受ける一画素ピッチの画像を補正するため、水平または垂直方向に対して補正対象画素に隣接する一方の画素を第１の参照画素、他方の画素を第３の参照画素、補正対象画素から第１の参照画素を挟んだ位置に位置する画素を第２の参照画素としたとき、少なくとも水平または垂直方向に対して第１の参照画素の画素値が補正対象画素の画素値未満であり、第３の参照画素の画素値が補正対象画素の画素値以上であり、かつ第１の参照画素の画素値が第２の参照画素の画素値未満である補正条件を満たす場合に、補正対象画素の画素値を第１の参照画素の画素値に近付けるように補正する（画素値を下げる）ものである。なお、図３はこの場合を示したものである。
【００４３】
図４の処理フローにおける各方向の補正条件と補正式との対応関係をまとめると表１のようになる。
【００４４】
【表１】
0005293923.tif 000002
【００４５】
ここで、Ｃ１，Ｃ２，Ｃ３，Ｃ４，Ｃ５，Ａ３，Ｂ３，Ｄ３，Ｅ３は図２に示した通りであり、Ｃ３が補正対象画素である。ａとｂが水平方向の補正条件と補正式、ｃとｄが垂直方向の補正条件と補正式の対応関係を示し、それぞれ左側の補正条件が満たした場合、対応する右側の補正式を適用して補正対象画素ｃ３の画素値を第１の参照画素（Ｃ２，Ｃ４，Ｂ３又はＤ３）の画素値を近付ける（画素値を下げる）。なお、補正式のＺは補正割合を決めるもので、０＜Ｚ＜１の範囲をとる（例えば、Ｚ＝０．２５）。
このような補正条件とすることで、解像度変換を行った画像における周囲より暗い一画素ピッチの画像のピーク（例えば黒線）を判定することができる。
【００４６】
図４の処理フローでは、入力画像データの各画素毎に、該画素を補正対象画素Ｃ３として、表１のａ〜ｄの順番で左側の補正条件を満たすか判定し、満たした場合、その時点で右側の補正式を演算して補正対象画素Ｃ３の画素値を補正する（画素値を下げる）。また、ａ〜ｄの全ての補正条件が満たさない場合には、補正対象画素Ｃ３について補正処理を行わない（Ｃ３＝Ｃ３）。これを入力画像データがなくなるまで繰り返す。
【００４７】
なお、図４の処理フローチャートはあくまでも一例であり、処理の順番（図４では水平方向優先）や補正処理を行う式は図に示したものに限るものでなく、所定の条件が満たされた場合に、他の画素表示の影響を軽減できる処理であればよい。これは、以降の処理フローチャートについても同様である。以下、図４の処理フローについて詳述する。
【００４８】
水平方向の画素Ｃ１〜Ｃ４（第１参照画素；Ｃ２、第２参照画素；Ｃ１、第３参照画素；Ｃ４）により、表１のａの左側の補正条件を満たすか判定し（ステップ１０１〜１０３）、満たした場合、右側の補正式を演算して（ステップ１０４）、補正対象画素Ｃ３の画素値を参照画素Ｃ２の画素値に近付ける（画素値を下げる）。表１のａの補正条件が満たさない場合、水平方向の画素Ｃ２〜Ｃ５（第１参照画素；Ｃ４、第２参照画素；Ｃ５、第３参照画素；Ｃ２）により、表１のｂの左側の補正条件を満たすか判定し（ステップ１０５，１０６）、満たした場合、右側の補正式を演算して（ステップ１０７）、補正対象画素Ｃ３の画素値を参照画素Ｃ４の画素値に近付ける（画素値を下げる）。
【００４９】
表１のａ，ｂの条件が満たさない場合、すなわち、水平方向の補正条件が満たさない場合には、垂直方向の画素Ａ３〜Ｂ３（第１参照画素；Ｂ３、第２参照画素；；Ａ３、第３参照画Ｄ３）により、表１のｃの左側の補正条件を満たすか判定し（ステップ１０８，１０９，１１０）、満たした場合、右側の補正式を演算して（ステップ１１１）、補正対象画素Ｃ３の画素値を参照画素Ｂ３の画素値に近付ける（画素値を下げる）。表１のｃの条件が満たさない場合、垂直方向の画素Ｂ３〜Ｅ３（第１参照画素；Ｄ３、第２参照画素；Ｅ３、第３参照画素；Ｂ３）により、表１のｄの左側の補正条件を満たすか判定し（ステップ１１２，１１３）、満たした場合、右側の補正式を演算して（ステップ１１４）、補正対象画素Ｃ３の画素値を参照画素Ｄ３の画素値に近付ける（画素値を下げる）。
【００５０】
一方、表１のａ〜ｄの全ての補正条件が満たさない場合、すなわち、水平及び垂直方向のいずれでも補正条件が満たさない場合には、補正対象画素Ｃ３の画素値はそのままとする（ステップ１１５）。
【００５１】
本実施例によれば、解像度変換処理を行った後の画像でも、隣接画素の表示への影響を最も受ける一画素ピッチの画像（黒線）を補正することができ、明るい補正対象画素の暗い隣接画素の表示への影響による浮き上がりを押さえ、コントラストが向上した見易い画像を表示することができる。
【００５２】
図３４に具体的処理例を示す。図３４は拡大して示したもので、実際には、（Ａ）のａ，ｂなどは１画素幅（１画素ピッチ）の黒線である。（Ａ）のような画像を解像度変換処理することにより、（Ｂ）に示すように、１画素幅の黒線は２画素以上で表現され、浮き上がりが生じる（例えば、ｃ，ｄ，ｅなど）。（Ｃ）は補正処理後の画像であり、ｃ，ｄ，ｅなどの画素の画素値を隣接の黒線の画素値に近付ける（画素値を下げる）ことで（ｃ’，ｄ’，ｅ’など）、浮き上がりを押さえ、コントラストが向上し（黒線強調）、見易い画像を表示できる。他の例についても同様である。
【００５３】
図５は、水平及び垂直方向の両方（一般には複数方向）にて補正条件を満たすか判定し、満たした場合には、補正対象画素の画素値と補正条件を満たした水平及び垂直方向の第１の参照画素の画素値との差が小さい方の補正式を用いて、補正対象画素の画素値を当該第１の参照画素の画素値に近付けるように補正する（画素値を下げる）ものである。なお、一つの方向にて補正条件が満たした場合の処理は図４と同じである。
【００５４】
図５の処理フローにおける補正条件と補正式との対応関係は、先の図４の場合の表１と同じであるので省略する。以下、図５の処理フローについて詳述する。
【００５５】
水平方向の画素Ｃ１〜Ｃ４（第１参照画素；Ｃ２、第２参照画素；Ｃ１、第３参照画素；Ｃ４）により、表１のａの左側の補正条件を満たすか判定する（ステップ２０１〜２０３）。満たした場合、垂直方向の画素Ａ３〜Ｄ３（第１参照画素；Ｂ３、第２参照画素；Ａ３、第３参照画素；Ｄ３）により、表１のｃの左側の補正条件を満たすか判定する（ステップ２０４〜２０６）。これも満たした場合、すなわち、表１のａとｃの補正条件が満たした場合、各々の第１の参照画素であるＣ２とＢ３の画素値を比較し（ステップ２０７）、大きい方（Ｃ３との差が小さい）に対応する右側の補正式を演算して（ステップ２０８又は２０９）、補正対象画素Ｃ３の画素値をＢ３あるいはＣ２の画素値に近付ける（画素値を下げる）。
【００５６】
また、表１のａの補正条件が満たし、ｃの補正条件が満たさない場合には、垂直方向の画素Ｂ３〜Ｅ３（第１参照画素；Ｄ３、第２参照画素；Ｅ３、第３参照画素；Ｂ３）により、表１のｄの左側の補正条件を満たすか判定する（ステップ２１０，２１１）。そして、満たした場合、すなわち、表１のａとｄの補正条件が満たした場合、各々の第１の参照画素であるＣ２とＤ３の画素値を比較し（ステップ２１２）、大きい方に対応する右側の補正式を演算して（ステップ２０９又は２１３）、補正対象画素Ｃ３の画素値をＣ２あるいはＤ３の画素値に近付ける（画素値を下げる）。
【００５７】
また、表１のａの補正条件が満たし、ｃとｄのいずれの補正条件も満たさない場合には、そのままａの右側の補正式を演算して（ステップ２０９）、補正対象画素Ｃ３の画素値をＣ２の画素値に近付ける（画素値を下げる）。
【００５８】
表１のａの補正条件が満たさない場合には、水平方向の画素Ｃ２〜Ｃ５（第１参照画素；Ｃ４、第２参照画素；Ｃ５、第３参照画素；Ｃ２）により、表１のｂの左側の補正条件を満たすか判定する（ステップ２１４，２１５）。満たした場合、垂直方向の画素Ａ３〜Ｄ３（第１参照画素；Ｂ３、第２参照画素；Ａ３、第３参照画素；Ｄ３）により、表１のｃの左側の補正条件を満たすか判定する（ステップ２１６〜２１８）。満たした場合、すなわち、表１のｂとｃの補正条件が満たした場合、各々の第１の参照画素であるＣ４とＢ３の画素値を比較し（ステップ２１９）、大きい方（ｃ３との差が小さい）に対応する右側の補正式を演算して（ステップ２２０又は２２１）、補正対象画素Ｃ３の画素値をＢ３あるいはＣ４の画素値に近づける（画素値を下げる）。
【００５９】
また、表１のｂの補正条件が満たし、ｃの補正条件が満たさない場合、垂直方向の画素Ｂ３〜Ｅ３（第１参照画素；Ｄ３、第２参照画素；Ｅ３、第３参照画素；Ｂ３）により、表１のｄの左側の補正条件を満たすか判定する。（ステップ２２２，２２３）。満たした場合、すなわち、表１のｂとｄの補正条件が満たした場合、各々の第１の参照画素であるＣ４とＤ３の画素値を比較し（ステップ２２４）、大きい方に対応する右側の補正式を演算して（ステップ２２１又は２２５）、補正対象画素Ｃ３の画素値をＣ４あるいはＤ３の画素値に近付ける（画素値を下げる）。
【００６０】
また、表１のｂの補正条件が満たし、ｃとｄのいずれの補正条件も満たさない場合には、そのままｂの右側の補正式を演算して（ステップ２２１）、補正対象画素Ｃ３の画素値をＣ４の画素値に近付ける（画素値を下げる）。
【００６１】
表１のａ，ｂの補正条件が満たさない場合、すなわち、水平方向で補正条件が満たさない場合には、垂直方向の画素Ａ３〜Ｄ３（第１参照画素；Ｂ３、第２参照画素；Ａ３、第３参照画素；Ｄ３）により、表１のｃの左側の補正条件を満たすか判定し（ステップ２２６〜２２８）、満たした場合、そのまま左側の補正式を演算して（ステップ２２９）、補正対象画素Ｃ３の画素値をＢ３の画素値に近付ける（画素値を下げる）。満たさない場合、垂直方向の画素Ｂ３〜Ｅ３（第１参照画素；Ｄ３、第２参照画素；Ｅ３、第３参照画素；Ｂ３）により、表１のｄの左側の補正条件を満たすか判定し（ステップ２３０，２３１）、満した場合、そのまま右側の補正式を演算して（ステップ２３２）、補正対象画素Ｃ３の画素値をＤ３の画素値に近付ける（画素値を下げる）。
【００６２】
表１のａ〜ｄの全ての補正条件が満たさない場合、すなわち、水平及び垂直方向のいずれでも補正条件が満たさない場合には、補正対象画素ｃ３の画素値はそのままとする（ステップ２３３）。
【００６３】
このように水平及び垂直方向の両方（一般には複数方向）にて補正条件を満たした場合に、補正対象画素Ｃ３と第１の参照画素との差が小さい方の補正式を用いて補正対象画素Ｃ３の画素値を補正する（画素値を下げる）ことで、効果が大きくなりすぎることなく、表示画像のコントラストを向上させることができる。
【００６４】
図６は、図５とは逆に、水平及び垂直方向の両方（一般には複数方向）にて補正条件を満たした場合に、補正対象画素の画素値と補正条件を満たした水平及び垂直方向の第１の参照画素の画素値との差が大きい方の補正式を用いて、補正対象画素の画素値を当該第１の参照画素の画素値に近付けるように補正する（画素値を下げる）ものである。一つの方向にて補正条件が満たした場合の処理は図４と同じである。
【００６５】
図６の処理フローにおける補正条件と補正式との対応関係は、先の図４の場合の表１と同じであるので省略する。
【００６６】
図６の処理フローにおいて、図５との違いは、ステップ３０７，３１２，３２４での大小比較判定が図５のステップ２０７，２１２，２１９，２２４とは逆の関係になっているだけで、それ以外の処理は図５とまったく同じである。以下、図６の処理フローについて詳述する。
【００６７】
水平方向の画素Ｃ１〜Ｃ４（第１参照画素；Ｃ２、第２参照画素；Ｃ１、第３参照画素；Ｃ４）により、表１のａの条件を満たすか判定し（ステップ３０１〜３０３）、満たした場合、垂直方向の画素Ａ３〜Ｄ３（第１参照画素；Ｂ３、第２参照画素；Ａ３、第３参照画素；Ｄ３）により、表１のｃの補正条件を満たすか判定する（ステップ３０４〜３０６）。そして、表１のａとｃの補正条件が満たした場合、第１の参照画素であるＣ２とＢ３の画素値を比較し（ステップ３０７）、小さい方（Ｃ３との差が大きい）に対応する補正式を演算して（ステップ３０８又は３０９）、補正対象画素Ｃ３の画素値をＢ３あるいはＣ２の画素値に近付ける（画素値を下げる）。
【００６８】
また、表１のａの補正条件が満たし、ｃの条件が満たさない場合には、垂直方向の画素Ｂ３〜Ｅ３（第１参照画素；Ｄ３、第２参照画素；Ｅ３、第３参照画素；Ｂ３）により、表１のｄの条件を満たすか判定する（ステップ３１０，３１１）。そして、表１のａとｄの条件が満たした場合、第１の参照画素であるＣ２とＤ３の画素値を比較し（ステップ３１２）、小さい方に対応する補正式を演算して（ステップ３０９又は３１３）、補正対象画素Ｃ３の画素値をＣ２あるいはＤ３の画素値に近付ける（画素値を下げる）。
【００６９】
表１のａの条件が満たさない場合には、水平方向の画素Ｃ２〜Ｃ５（第１参照画素；Ｃ４、第２参照画素；Ｃ５、第３参照画素；Ｃ２）により、表１のｂの補正条件を満たすか判定し（ステップ３１４，３１５）、満たした場合、垂直方向の画素Ａ３〜Ｄ３（第１参照画素；Ｂ３、第２参照画素；Ａ３、第３参照画素；Ｄ３）により、表１のｃの条件を満たすか判定する（ステップ３１６〜３１８）。そして、表１のｂとｃの補正条件が満たした場合、第１の参照画素であるＣ４とＢ３の画素値を比較し（ステップ３１９）、小さい方（ｃ３と差が大きい）に対応する補正式を演算して（ステップ３２０又は３２１）、補正対象画素Ｃ３の画素値をＢ３あるいはＣ４の画素値に近付ける（画素値を下げる）。
【００７０】
また、表１のｂの補正条件が満たし、ｃの補正条件が満たさない場合には、垂直方向の画素Ｂ３〜Ｅ３（第１参照画素；Ｄ３、第２参照画素；Ｅ３、第３参照画素；Ｂ３）により、表１のｄの補正条件を満たすか判定する（ステップ３２２，３２３）。そして、表１のｂとｄの補正条件が満たした場合、第１の参照画素であるＣ４とＤ３の画素値を比較し（ステップ３２４）、小さい方（Ｃ３との差が大きい）に対応する補正式を演算して（ステップ３２１又は３２５）、補正対象画素Ｃ３の画素値をＣ４あるいはＤ３の画素値に近付ける（画素値を下げる）。
【００７１】
一方、表１のａ〜ｄのいずれか一つの補正条件が満たした場合は、そのまま対応する補正式を演算して（ステップ３０９，３２１，３２９又は３３２）、補正対象画素Ｃ３の画素値を該当第１の参照画素の画素値に近付ける（画素値を下げる）。また、表１のａ〜ｄのいずれの条件も満たさない場合には、補正対象画素Ｃ３の画素値はそのままとする（ステップ３３３）。
【００７２】
このように、水平及び垂直方向の両方（一般には複数方向）にて補正条件を満たした場合に、補正対象画素Ｃ３と第１の参照画素との差が大きい方の補正式を用いて補正対象画素ｃ３の画素値を補正する（画素値を下げる）ことで、差の小さい参照画素側に過剰な補正がかかる場合もあるが、その頻度は一般に少なく、画像全体では影響が軽微であり、定数Ｚ（補正割合）の値により影響を軽減することもできる。その影響に比べ、はるかにコントラストが向上し、見易い画像を表示することができる。
【００７３】
図７は、水平及び垂直方向の両方（一般には複数方向）にて補正条件を満たした場合に、満たした方向の組み合わせにより、予め定めた補正式を用いて補正対象画素の画素値を当該第１の参照画素の画素値に近付けるように補正する（画素値を下げる）ものである。すなわち、満たした方向の組み合わせにより、予め定められた補正対象画素と、隣接した該補正対象画素と異なる値を有する参照画素の画素値と、補正対象画素の画素値との差を用いて補正する。一つの方向にて補正条件が満たした場合の処理は図４と同じである。
【００７４】
図７の処理フローにおける補正条件と補正式との対応関係は、先の図４の場合の表１と同じであるので省略する。以下、図７の処理フローについて詳述する。
【００７５】
水平方向の画素Ｃ１〜Ｃ４（第１参照画素；Ｃ２、第２参照画素；Ｃ１、第３参照画素；Ｃ４）により、表１のａの左側の補正条件を満たすか判定する（ステップ４０１〜４０３）。満たした場合、Ｄ３≧Ｃ３を判定し（ステップ４０４）、判定結果がＹＥＳなら、ａの右側の補正式を演算して（ステップ４０５）、補正対象画素Ｃ３の画素値をＣ２（第１の参照画素）の画素値に近付ける（画素値を下げる）。すなわち、表１のａの補正条件が満たし、かつ、ｃの補正条件が満たす場合（満たす可能性がある場合）には、ａの補正式を用いて補正対象画素ｃ３の画素値を補正する。また、Ｄ３≧Ｃ３の判定結果がＮＯの場合、Ｂ３≧Ｃ３，Ｅ３＞Ｄ３を判定し（ステップ４０６，４０７）、いずれもＹＥＳの場合には、表１のｄの右側の補正式を演算して（ステップ４０８）、補正対象画素Ｃ３の画素値をＤ３（第１の参照画素）の画素値に近付ける（画素値を下げる）。すなわち、表１のａとｄの条件が満たした場合には、ｄの補正式を用いて補正対象画素ｃ３の画素値を補正する。また、ステップ４０６，４０７のいずれかでＮＯが判定された場合、すなわち、表１のａの補正条件だけが満たした場合には、ａの補正式を用いて補正対象画素ｃ３の画素値を補正する（ステップ４０５）。
【００７６】
一方、表１のａの補正条件が満たさない場合には、水平方向の画素Ｃ２〜Ｃ５（第１参照画素；Ｃ４、第２参照画素；Ｃ５、第３参照画素；Ｃ２）により、表１のｂの左側の補正条件を満たすか判定する（ステップ４０９，４１０）。満たした場合、Ｄ３≧Ｃ３を判定し、判定結果がＹＥＳなら、Ａ３＞Ｂ３，Ｃ３＞Ｂ３を判定し（ステップ４１２，４１３）、いずれもＹＥＳの場合には、表１のｃの右側の補正式を演算して（ステップ４１４）、補正対象画素Ｃ３の画素値をＢ３（第１の参照画素）の画素値に近付ける（画素値を下げる）。すなわち、表１のｂとｃの補正条件が満たした場合には、ｃの補正式を用いて補正対象画素Ｃ３の画素値を補正する。また、Ｄ３≧Ｃ３の判定結果がＮＯの場合には、ｂの補正式を演算して（ステップ４１５）、補正対象画素Ｃ３の画素値をＣ４（第１の参照画素）の画素値に近づける（画素値を下げる）。すなわち、表１のｂの補正条件が満たし、かつ、ｄの補正条件が満たす場合（満たす可能性がある場合）には、ｂの補正式を用いて補正対象画素ｃ３の画素値を補正する。また、ステップ４１２，４１３のいずれかでＮＯが判定された場合、すなわち、ｂの補正条件だけが満たした場合には、ｂの補正式を用いて補正対象画素Ｃ３の画素値を補正する（ステップ４１５）。
【００７７】
表１のａ，ｂの補正条件が満たさない場合、すなわち、水平方向で補正条件が満たさない場合には、垂直方向の画素Ａ３〜Ｄ３（第１参照画素；Ｂ３、第２参照画素；Ａ３、第３参照画素；Ｄ３）により、表１のｃの左側の補正条件を満たすか判定し（ステップ４１６〜４１８）、満たした場合、そのまま左側の補正式を演算して（ステップ４１９）、補正対象画素Ｃ３の画素値をＢ３の画素値に近付ける（画素値を下げる）。満たさない場合、垂直方向の画素Ｂ３〜Ｅ３（第１参照画素；Ｄ３、第２参照画素；Ｅ３、第３参照画素；Ｂ３）により、表１のｄの左側の補正条件を満たすか判定し（ステップ４２０，４２１）、満たした場合、そのまま右側の補正式を演算して（ステップ４２２）、補正式対象画素Ｃ３の画素値をＤ３の画素値に近付ける（画素値を下げる）。
【００７８】
表１のａ〜ｄのすべての補正条件が満たさない場合、すなわち、水平及び垂直方向のいずれでも補正条件が満たさない場合には、補正対象画素Ｃ３の画素値はそのままとする（ステップ４２３）。
【００７９】
図７を図５や図６と比較すれば明らかであるように、複数方向にて補正条件を満たした場合、満たした方向の組み合わせにより、予め定めた補正式を用いて補正対象画素の画素値を補正するようにすることにより、処理が簡略となる。このことから補正処理を行う回路規模が小さくなり、低コスト化することができる。また、複数方向にて補正条件を満たし、且つ参照画素値と補間画素の画素値の差が複数方向で異なることは、画像全体から見ると少なく、画質への影響は少ないことが多いので、画質の差が少ないのに低コストで、コントラストが向上した、見易い画像を表示することができる。
【００８０】
図８は、水平及び垂直方向の両方（一般には複数方向）にて補正条件を満たした場合に、補正条件を満たした各々の第１の参照画素の画素値間の値と補正対象画素の画素値との差を用いて、補正対象画素の画素値を補正する（画素値を下げる）ものである。図８では、一例として水平及び垂直方向で補正条件を満たした２つの第１の参照画素値間の値として平均値を用いた場合を示している。一つの方向にて補正条件を満たした場合の処理は図４と同じである。
【００８１】
表２に水平及び垂直方向の両方で補正条件が満たした場合の、満たした方向の補正条件の組み合わせと適用する補正式との対応関係を示す。一つの方向で補正条件が満たした場合の補正条件と補正式との対応関係は、先の図４の場合の表１と同じであるので省略する。
【００８２】
【表２】
0005293923.tif 000003
【００８３】
以下、図８の処理フローについて詳述する。水平方向の画素Ｃ１〜Ｃ４（第１参照画素；Ｃ２、第２参照画素；Ｃ１、第３参照画素；Ｃ４）により、表１のａの補正条件を満たすか判定し（ステップ５０１〜５０３）、満たした場合、垂直方向の画素Ａ３〜Ｄ３（第１参照画素；Ｂ３、第２参照画素；Ａ３、第３参照画素；Ｄ３）により、表１のｃの補正条件を満たすか判定する（ステップ５０４〜５０６）。そして、表１のａとｃの補正条件が満たした場合、すなわち、表２の１の左側の補正条件が満たした場合、その右側の補正式を演算して（ステップ５０７）、補正対象画素Ｃ３の画素値を補正する（画素値を下げる）。すなわち、参照画素Ｃ２とＢ３の平均値と補正対象画素Ｃ３の画素値との差を用いて補正処理を行う。
【００８４】
また、表１のａの補正条件が満たし、ｃの補正条件が満たさない場合には、垂直方向の画素Ｂ３〜Ｅ３（第１参照画素；Ｄ３、第２参照画素；Ｅ３、第３参照画素；Ｂ３）により、表１のｄの条件を満たすか判定する（ステップ５０８，５０９）。そして、表１のａとｄの補正条件が満たした場合、すなわち、表２の２の左側の補正条件が満たした場合、その右側の補正式を演算して（ステップ５１０）、補正対象画素Ｃ３の画素値を補正する（画素値を下げる）。すなわち、参照画素Ｃ２とＤ３の平均値と補正対象画素Ｃ３の画素値との差を用いて補正処理を行う。
【００８５】
表１のａの補正条件が満たさない場合には、水平方向の画素Ｃ２〜Ｃ５（第１参照画素；Ｃ４、第２参照画素；Ｃ５、第３参照画素；Ｃ２）により、表１のｂの条件を満たすか判定し（ステップ５１２，５１３）、満たした場合、垂直方向の画素Ａ３〜Ｄ３（第１参照画素；Ｂ３、第２参照画素；Ａ３、第３参照画素；Ｄ３）により、表１のｃの補正条件を満たすか判定する（ステップ５１４〜５１６）。そして、表１のｂとｃの補正条件が満した場合、すなわち、表２の３の左側の補正条件が満たした場合、その右側の補正式を演算して（ステップ５１７）、補正対象画素Ｃ３の画素値を補正する（画素値を下げる）。すなわち、参照画素Ｃ４とＢ３の平均値と補正対象画素Ｃ３の画素値との差を用いて補正処理を行う。
【００８６】
また、表１のｂの補正条件が満たし、ｃの条件が満たさない場合には、垂直方向のＢ３〜Ｅ３（第１参照画素；Ｄ３、第２参照画素；Ｅ３、第３参照画素；Ｂ３）により、表１のｄの条件を満たすか判定する（ステップ５１８，５１９）。そして、表１のｂとｄの条件が満たした場合、すなわち、表２の４の左側の補正条件が満たした場合、その右側の補正式を演算して（ステップ５２０）、補正対象画素Ｃ３の画素値を補正する（画素値を下げる）。すなわち、参照画素Ｃ４とＤ３の平均値と補正対象画素Ｃ３の画素値との差を用いて補正処理を行う。
【００８７】
一方、表１のａ〜ｄのいずれか一つの補正条件が満たした場合は、そのまま対応する補正式を演算して（ステップ５１１，５２１，５２５又は５２８）、補正対象画素Ｃ３の画素値を当該第１の参照画素の画素値に近付ける（画素値を下げる）。また、表１のａ〜ｄのいずれの条件も満たさない場合には、補正対象画素Ｃ３の画素値はそのままとする（ステップ５２９）。
【００８８】
図８の場合、例えば、図５と比較して処理が簡略になることから補正処理を行う回路規模が小さくなり、低コスト化することができる。また補正条件が複数方向で満たされた場合に、各々の参照画素値と補正対象画素値との差を用いて補正量をバランスを取りながら画像処理をすることとなり、低コストでコントラストが向上した、見易い画像を表示することができるようになる。
【実施例２】
【００８９】
本実施例は、各表示画素が単色で構成された画像において、実施例１とは逆に、所定の補正条件が満たされた場合、補正対象画素の画素を上げることで、暗い補正対象画素の明るい隣接画素の表示への影響による画像（単色白）の沈み込みを押さえて、コントラストが向上した見易い画像を表示するものである。
【００９０】
図９乃至図１３に本実施例の処理フローチャートを示す。処理は図１の画像処理部２０が司る。なお、図１２と図１３が補正式選択部２４も使用する例である。以下、各処理フローチャートについて説明する。
【００９１】
図９は、各表示画素が単色で構成された画像において、水平または垂直方向に対して補正対象画素に隣接する一方の画素を第１の参照画素、他方の画素を第３の参照画素、補正対象画素から第１の参照画素を挟んだ位置に位置する画素を第２の参照画素としたとき、少なくとも水平または垂直方向に対して補正対象画素の画素値が第１の参照画素の画素値未満であり、第３の参照画素の画素値が補正対象画素の画素値以下であり、かつ第２の参照画素の画素値が第１の参照画素の画素値未満である場合に、補正対象画素の画素値を第１の参照画素の画素値に近付けるように補正する（画素値を上げる）ものである。
【００９２】
図９の処理フローにおける補正条件と補正式との対応関係をまとめると表３のようになる。
【００９３】
【表３】
0005293923.tif 000004
【００９４】
ここで、Ｃ１，Ｃ２，Ｃ３，Ｃ４，Ａ３，Ｂ３，Ｄ３，Ｅ３は図２に示した通りであり、Ｃ３が補正対象画素である。ａとｂが水平方向の補正条件と補正式、ｃとｄが垂直方向の補正条件と補正式の対応関係を示し、それぞれ、左側の補正条件が満たした場合、対応する右側の補正式を適用して補正対象画素Ｃ３の画素値を第１の参照画素（Ｃ２，Ｃ４，Ｂ３又はＤ３）の画素値に近付ける（画素値を上げる）。
このような補正条件とすることで、解像度変換を行った画像における周囲より明るい一画素ピッチの画像のピーク（白線等）を判定することができる。
【００９５】
図９の処理フローは、図４の処理フローと基本的に同じであるので（図４と図９では補正条件の不等号が逆の関係になっているだけ）、詳細な説明は省略する。図４と同様に、入力画像データの各画素毎に、該画素を補正対象画素Ｃ３として、表３のａ〜ｄの順番で左側の補正条件を満たすか判定し、満たした場合、その時点で右側の補正式を適用して補正対象画素Ｃ３の画素値を第１の参照画素（Ｃ２，Ｃ４，Ｂ３又はＤ３）の画素値に近付けるように補正する（画素値を上げる）。また、表３のａ〜ｄの全ての補正条件が満たさない場合には、すなわち、水平方向及び垂直方向のいずれでも補正条件が満たさない場合には、補正対象画素Ｃ３について補正処理を行わない（Ｃ３＝Ｃ３）。これを入力画像データがなくなるまで繰り返す。
【００９６】
例えば、水平方向のＣ１〜Ｃ４（第１参照画素；Ｃ２、第２参照画素；Ｃ１、第３参照画素；Ｃ４）により、表３のａの補正条件を判定し（ステップ６０１〜６０３）、満たした場合、対応する右側の補正式を演算して（ステップ６０４）、補正対象画素Ｃ３の画素値を第１の参照画素Ｃ２の画素値に近付けるように補正する（画素値を上げる）。
【００９７】
本実施例によれば、解像度変換処理を行った後の画像でも、隣接画素の表示への影響を最も受ける一画素ピッチの画像（白線）を補正することができ、暗い補正対象画素の明るい隣接画素の表示への影響による画像の沈み込みを押さえ、コントラストが向上した見易い画像を表示することができる。
【００９８】
図３５に具体的処理例を示す。図３４と同様に、図３５は拡大して示したもので、実際には、（Ａ）のａ，ｂなどは１画素幅（１画素ピッチ）の白線である。（Ａ）のような画像を解像度変換処理することにより、（Ｂ）に示すように、１画素幅の白線は２画素以上で表現され、沈み込みが生じる（例えば、ｃ，ｄ，ｅ，ｆなど）。（Ｃ）は補正処理後の画像であり、ｃ，ｄ，ｅ，ｆなどの画素の画素値を隣接の白線の画素値に近付ける（画素値を上げる）ことで（ｃ’，ｄ’，ｅ’，ｆ’など）、沈み込みを押さえ、コントラストが向上し（白線が強調される）、見易い画像を表示できる。他の例についても同様である。
【００９９】
図１０は、水平及び垂直方向の両方（一般には複数方向）にて補正条件を満たすか判定し、満たした場合には、補正対象画素の画素値と補正条件を満たした水平及び垂直方向の第１の参照画素の画素値との差が小さい方の補正式を用いて、補正対象画素の画素値を当該第１の参照画素の画素値に近付けるように補正する（画素値を上げる）ものである。一つの方向にて補正条件が満たした場合の処理は図９と同じである。
【０１００】
図１０における補正条件と補正式との対応関係は、先の図９の場合の表３と同じであるので省略する。また、図１０処理フローは、図５の処理フローと基本的に同じであるので（図５と図１０では補正条件の不等号が逆の関係になっているだけ）、詳細な説明は省略する。
【０１０１】
例えば、水平方向のＣ１〜Ｃ４（第１参照画素；Ｃ２、第２参照画素；Ｃ１、第３参照画素；Ｃ４）により、表３のａの補正条件を満たすか判定し（ステップ７０１〜７０３）、満たした場合、垂直方向のＡ３〜Ｄ３（第１参照画素；Ｂ３、第２参照画素；Ａ３、第３参照画素；Ｄ３）により、表３のｃの補正条件を満たすか判定する（ステップ７０４〜７０６）。そして、表１のａとｃの補正条件が満たした場合、Ｃ２とＢ３の画素値を比較し（ステップ７０７）、大きい方（Ｃ３との差が小さい）に対応する右側の補正式を演算して（ステップ７０８又は７０９）、補正対象画素Ｃ３の画素値をＢ３あるいはＣ２の画素値に近付ける（画素値を上げる）。
【０１０２】
表３のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）により、表３のｄの補正条件を判定する（ステップ７１０，７１１）。そして、表３のａとｄの補正条件が満たした場合、Ｃ２とＤ３の画素値を比較し（ステップ７１２）、大きい方（Ｃ３との差が小さい）に対応する右側の補正式を演算して（ステップ７０９又は７１３）、補正対象画素Ｃ３の画素値をＣ２あるいはＤ３の画素値に近付ける（画素値を上げる）。
【０１０３】
このように水平及び垂直方向の両方（一般には複数方向）にて補正条件を満たした場合に、補正対象画素Ｃ３と第１の参照画素と差が小さい方の補正式を用いて補正対象画素Ｃ３の画素値を補正する（画素値を上げる）ことで、効果が大きくなりすぎることなく、表示画像のコントラストを向上させることができる。
【０１０４】
図１１は、図１０とは逆に、水平及び垂直方向の両方（一般には複数方向）にて補正条件を満たした場合に、補正対象画素の画素値と補正条件を満たした水平及び垂直方向の第１の参照画素の画素値との差が大きい方の補正式を用いて、補正対象画素の画素値を当該第１の参照画素の画素値に近付けるように補正する（画素値を上げる）ものである。一つの方向にて補正条件が満たした場合の処理は図９と同じである。
【０１０５】
図１１における補正条件と補正式との対応関係は、先の図９の場合の表３と同じであるので省略する。また、図１１の処理フローは、図６の処理フローと基本的に同じであるので（図６と図１１では補正条件の不等号が逆になっているだけ）、詳細な説明は省略する。
【０１０６】
例えば、水平方向のＣ１〜Ｃ４（第１参照画素；Ｃ２、第２参照画素；Ｃ１、第３参照画素；Ｃ４）により、表３のａの補正条件を満たすか判定し（ステップ８０１〜８０３）、満たした場合、垂直方向のＡ３〜Ｄ３（第１参照画素；Ｂ３、第２参照画素；Ａ３、第３参照画素；Ｄ３）により、表１のｃの補正条件を満たすか判定する（ステップ８０４８０６）。そして、表１のａとｃの補正条件が満たした場合、Ｃ２とＢ３の画素値を比較し（ステップ８０７）、小さい方（Ｃ３との差が大きい）に対応する右側の補正式を演算して（ステップ８０８又は８０９）、補正対象画素Ｃ３の画素値をＢ３あるいはＣ２の画素値に近付ける（画素値を上げる）。
【０１０７】
表３のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）により、表３のｄの補正条件を判定する（ステップ８１０，８１１）。そして、表１のａとｄの補正条件が満たした場合、Ｃ２とＤ３の画素値を比較し（ステップ８１２）、小さい方（Ｃ３との差が大きい）に対応する右側の補正式を演算して（ステップ８０９又は８１３）、補正対象画素Ｃ３の画素値をＣ２あるいはＤ３の画素値に近付ける（画素値を上げる）。
【０１０８】
このように、水平及び垂直方向の両方（一般には複数方向）にて補正条件を満たした場合に、補正対象画素Ｃ３と第１の参照画素と差が大きい方の補正式を用いて補正対象画素Ｃ３の画素値を補正する（画素値を上げる）ことで、同様に表示画像のコントラストが向上させることができる。
【０１０９】
図１２は、水平及び垂直方向の両方（一般には複数方向）にて補正条件を満たした場合に、満たした方向の組合せにより、あらかじめ定めた補正式を用いて、補正対象画素の画素値を当該第１の参照画素の画素値に近付けるように補正する（画素値を上げる）ものである。一つの方向にて補正条件が満たした場合の処理は図９と同じである。
【０１１０】
図１２おける補正条件と補正式との対応関係は、先の図９の場合の表３と同じであるので省略する。また、図１２の処理フローは、図７の処理フローと基本的に同じであるので（図７と図１２では補正条件の不等号が逆の関係になっているだけ）、詳細な説明は省略する。
【０１１１】
例えば、水平方向のＣ１〜Ｃ４（第１参照画素；Ｃ２、第２参照画素；Ｃ１、第３参照画素；Ｃ４）により、表３のａの補正条件を満たすか判定し（ステップ９０１〜９０３）、満たした場合、Ｄ３≦Ｃ３を判定し（ステップ９０４）、判定結果がＹＲＳならば（ｃの補正条件も満たされる可能性がある）、表３のａの右側の補正式を演算して（ステップ９０５）、補正対象画素Ｃ３の画素値をＣ２の画素値に近付ける（画素値を上げる）。Ｄ３≦Ｃ３の判定結果がＮＯならば、Ｂ３≦Ｃ３，Ｅ３≦Ｄ３を判定し（ステップ９０６，９０７）、いずれもＹＥＳならば（ａとｄの補正条件が満たされる）、表３のｄの右側の補正式を演算して（ステップ９０８）、補正対象画素Ｃ３の画素値をＤ３の画素値に近付ける（画素値を上げる）。
【０１１２】
図１２の処理フローを図１０や図１１のそれと比較すれば明らかであるように、複数方向にて補正条件を満たした場合、満たした方向の組み合わせにより、予め定めた補正式を用いて補正対象画素の画素値を補正するようにすることにより、処理が簡略となる。このことから補正処理を行う回路規模が小さくなり、低コスト化することができる。また、複数方向にて補正条件を満たし、且つ参照画素値と補間画素の画素値の差が複数方向で異なることは、画像全体から見ると少なく、画質への影響は少ないことが多いので、画質の差が少ないのに低コストで、コントラストが向上した、見易い画像を表示することができる。
【０１１３】
図１３は、水平及び垂直方向の両方（一般には複数方向）にて補正条件を満した場合に、補正条件を満たした各々の第１の参照画素の画素値間の値（ここでは平均値）と補正対象画素の画素値との差を用いて、補正対象画素の画素値を補正する（画素値を上げる）ものである。一つの方向にて補正条件が満たした場合の処理は図９と同じである。
【０１１４】
表４に水平及び垂直方向の両方で補正条件が満たした場合の、満たした方向の補正条件の組み合わせと適用する補正式との対応関係を示す。一つの方向で補正条件が満たした場合の補正条件と補正式との対応関係は、先の図９の場合の表３と同じであるので省略する。
【０１１５】
【表４】
0005293923.tif 000005
【０１１６】
図１３の処理フローは、図８の処理フローと基本的に同じであるので（図８と図１３では補正条件の不等号が逆の関係になっているだけ）、詳しい説明は省略する。
【０１１７】
例えば、水平方向のＣ１〜Ｃ４（第１参照画素；Ｃ２、第２参照画素；Ｃ１、第３参照画素；Ｃ４）により、表３のａの補正条件を満たすか判定し（ステップ１００１〜１００３）、満たした場合、垂直方向のＡ３〜Ｄ３（第１参照画素；Ｂ３、第２参照画素；Ａ３、第３参照画素；Ｄ３）により、表３のｃの補正条件を満たすか判定する（ステップ１００４〜１００６）。そして、表３のａとｃの補正条件が満たした場合、表４の１の補正式を演算して（ステップ１００７）、補正対象画素Ｃ３の画素値を補正する（画素値を上げる）。すなわち、第１の参照画素Ｃ２とＢ３の平均値と補正対象画素Ｃ３の画素値との差を用いて補正処理を行う。
【０１１８】
表３のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）により、表３のｄの補正条件を判定する（ステップ１００８，１００９）。そして、表３のａとｄの補正条件が満たした場合、表４の２の補正式を演算して（ステップ１０１０）、補正対象画素Ｃ３の画素値を補正する（画素値を上げる）。すなわち、第１の参照画素Ｃ２とＤ３の平均値と補正対象画素Ｃ３の画素値との差を用いて補正処理を行う。
【０１１９】
図１３の場合、例えば、図１０と比較して処理が簡略になることから補正処理を行う回路規模が小さくなり、低コスト化することができる。また補正条件が複数方向で満たされた場合に、各々の参照画素値と補正対象画素値との差を用いて補正量をバランスを取りながら画像処理をすることとなり、低コストでコントラストが向上した、見易い画像を表示することができるようになる。
【実施例３】
【０１２０】
本実施例は先の実施例１及び実施例２を組み合わせたものである。すなわち、各表示画素が単色で構成された画像において、明るいあるいは暗い補正対象画素の暗いあるいは明るい隣接画素の表示への影響による画像の沈み込み及び浮き上がりを押さえることで、単色黒及び単色白のコントラストが向上した見易い画像を表示するものである。
【０１２１】
図１４乃至図１８に本実施例の処理フローチャートを示す。処理は図１の画像処理部２０が司る。なお、図１７と図１８が補正式選択部２４も使用する例である。以下、各処理フローチャートについて説明する。
【０１２２】
図１４は、各表示画素が単色で構成された画像において、水平または垂直方向に対して補正対象画素に隣接する一方の画素を第１の参照画素、他方の画素を第３の参照画素、補正対象画素から第１の参照画素を挟んだ位置に位置する画素を第２の参照画素としたとき、少なくとも水平または垂直方向に対して第１の参照画素の画素値が補正対象画素の画素値未満であり、第３の参照画素の画素値が補正対象画素の画素値以上であり、かつ第１の参照画素の画素値が第２の参照画素の画素値未満であるか、あるいは、補正対象画素の画素値が第１の参照画素の画素値未満であり、第３の参照画素が補正対象画素の画素値以下であり、かつ第２の参照画素の画素値が第１の参照画素の画素値未満である補正条件を満たす場合に、補正対象画素の画素値を第１の参照画素の画素値に近付けるように補正する（画素値を下げるか上げる）ものである。
【０１２３】
図１４に処理フローにおける補正条件と補正式との対応関係をまとめると表５のようになる。
【０１２４】
【表５】
0005293923.tif 000006
【０１２５】
表５は先の表１と表３を一緒にしたもので、ａ１，ｂ１，ｃ１，ｄ１が表１に対応し、ａ２，ｂ２，ｃ２，ｄ２が表３にそれぞれ対応する。すなわち、ａ１，ｂ１，ｃ１，ｄ１のいずれかの補正条件が満たした場合には、補正対象画素Ｃ３の画素値を下げ、ａ２，ｂ２，ｃ２，ｄ２のいずれかの補正条件が満たした場合には上げることで、補正対象画素Ｃ３の画素値を第１の参照画素（Ｃ２，Ｃ４，Ｂ３又はＤ３）の画素値に近付ける。このような２種類の補正条件を用いることで、解像度変換を行った画像における一画素ピッチの画像の白黒ピークを判定することができる。
【０１２６】
図１４の処理フローは、基本的に図４と図９の処理フローを一緒したものであるので、詳細な説明は省略する。図４や図９と同様に、入力画像データの各画素毎に、該画素を補正対象画素Ｃ３として、表５のａ１〜ｄ２の順番で左側の補正条件を満たすか判定し、満たした場合、その時点で右側の補正式を演算して補正対象画素Ｃ３の画素値を補正する（画素値を下げるか上げる）。また、ａ１〜ｄ２の全ての補正条件が満たさない場合には、補正対象画素Ｃ３について補正処理を行わない（Ｃ３＝Ｃ３）。これを入力画像データがなくなるまで繰り返す。
【０１２７】
一例として、水平方向のＣ１〜Ｃ４（第１参照画素；Ｃ２、第２参照画素；Ｃ１、第３参照画素；Ｃ４）により、補正条件を判定する場合を説明する。Ｃ１〜Ｃ４により、表５のａ１の補正条件を判定し（ステップ１１０１〜１１０３）、満たした場合、対応する右側の補正式を演算して（ステップ１１０４）、補正対象画素Ｃ３の画素値を下げて、第１の参照画素Ｃ２の画素値に近付ける。表５のａ１の補正条件が満たさない場合には、Ｃ１〜Ｃ４により、表５のａ２の補正条件を判定して（ステップ１１０５〜１１０７）、満たした場合には、対応する右側の補正式を演算して（ステップ１１０４）、補正対象画素Ｃ３の画素値を上げて、第１の参照画素Ｃ２の画素値に近付ける。
【０１２８】
本実施例によれば、解像度変換処理を行った後の画像でも、隣接画素の表示への影響を最も受ける一画素ピッチの画像を補正することができ、補正対象画素の隣接画素の表示への影響を押さえ、単色黒及び単色白のいずれでもコントラストが向上した見易い画像を表示することができる。
【０１２９】
図１５は、水平及び垂直方向の両方（一般には複数方向）にて補正条件を満たすか判定し、満たした場合には、補正対象画素の画素値と補正条件を満たした水平及び垂直方向の第１の参照画素の画素値との差が小さい方の補正式を用いて、補正対象画素の画素値を当該第１の参照画素の画素値に近付けるように補正する（画素値を下げるか上げる）ものである。一つの方向にて補正条件が満たした場合の処理は図１４と同じである。
【０１３０】
図１５における補正条件と補正式との対応関係は、先の図１４の場合の表５と同じであるので省略する。また、図１５の処理フローは、基本的に図５と図１０の処理フローを一緒にしたものであるので、詳細な説明は省略する。
【０１３１】
一例として、水平方向のＣ１〜Ｃ４（第１参照画素；Ｃ２、第２参照画素；Ｃ１、第３参照画素；Ｃ４）と垂直方向のＡ３〜Ｄ３（第１参照画素；Ｂ３、第２参照画素；Ａ３、第３参照画素；Ｄ３）により補正条件を判定する場合を説明する。Ｃ１〜Ｃ４により、表５のａ１の補正条件を判定し（ステップ１２０１〜１２０３）、満たした場合、Ａ３〜Ｄ３により、表５のｃ１の補正条件を満たすか判定する（ステップ１２０４〜１２０６）。そして、表５のａ１とｃ１の補正条件が満たした場合、Ｃ２とＢ３の画素値を比較し（ステップ１２０７）、大きい方（Ｃ３との差が小さい）に対応する右側の補正式を演算して（ステップ１２０８又は１２０９）、補正対象画素Ｃ３の画素値をＢ３あるいはＣ２の画素値に近付ける（画素値を下げる）。表５のａ１の補正条件が満たさない場合には、Ｃ１〜Ｃ４により、表５のａ２の補正条件を判定し（ステップ１２１０〜１２１２）、満たした場合、Ａ３〜Ｄ３により、表５のｃ２の補正条件を判定する（ステップ１２１３〜１２１５）。そして、表５のａ２とｃ２の補正条件が満たした場合、同じくＣ２とＢ３の画素値を比較し（ステップ１２１６）、大きい方（Ｃ３との差が小さい）に対応する右側の補正式を演算して（ステップ１２１７又は１２１８）、補正対象画素Ｃ３の画素値をＢ３あるいはＣ２の画素値に近付ける（画素値を上げる）。
【０１３２】
図１６は、図１５とは逆に、水平及び垂直方向の両方（一般には複数方向）にて補正条件を満すか判定して、満たした場合には、補正対象画素の画素値と補正条件を満たした水平及び垂直方向の第１の参照画素の画素値との差が大きい方の補正式を用いて、補正対象画素の画素値を当該第１の参照画素の画素値に近付けるように補正する（画素値を下げるか上げる）ものである。一つの方向にて補正条件が満たした場合の処理は図１４と同じである。
【０１３３】
図１６における補正条件と補正式との対応関係は、先の図１４の場合の表５と同じであるので省略する。また、図１６の処理フローは、基本的に図６と図１１の処理フローを一緒したものであるので、詳細な説明は省略する。
【０１３４】
ここでも、一例として、水平方向のＣ１〜Ｃ４（第１参照画素；Ｃ２、第２参照画素；Ｃ１、第３参照画素；Ｃ４）と垂直方向のＡ３〜Ｄ３（第１参照画素；Ｂ３、第２参照画素；Ａ３、第３参照画素；Ｄ３）により補正条件を判定する場合を説明する。Ｃ１〜Ｃ４により、表５のａ１の補正条件を満たすか判定し（ステップ１３０１〜１３０３）、満たした場合、Ａ３〜Ｄ３により、表５のｃ１の補正条件を満たすか判定する（ステップ１３０４〜１３０６）。そして、表５のａ１とｃ１の補正条件が満たした場合、Ｃ２とＢ３の画素値を比較し（ステップ１３０７）、小さい方（Ｃ３との差が大きい）に対応する右側の補正式を演算して（ステップ１３０８又は１３０９）、補正対象画素Ｃ３の画素値をＢ３あるいはＣ２の画素値に近付ける（画素値を下げる）。表５のａ１の補正条件を満たさない場合には、Ｃ１〜Ｃ４により、表５のａ２の補正条件を判定し（ステップ１３１０〜１３１２）、満たした場合、Ａ３〜Ｄ３により、表５のｃ２の補正条件を判定する（ステップ１３１３〜１３１５）。そして、表５のａ２とｃ２の補正条件を満たした場合、同じくＣ２とＢ３の画素値を比較し（ステップ１３１６）、小さい方（Ｃ３との差が大きい）に対応する右側の補正式を演算して（ステップ１３１７又は１３１８）、補正対象画素Ｃ３の画素値をＢ３あるいはＣ２の画素値に近付ける（画素値を上げる）。
【０１３５】
図１７は、水平及び垂直方向の両方（一般には複数方向）にて補正条件を満たした場合に、満たした方向の組合せにより、あらかじめ定めた補正式を用いて、補正対象画素の画素値を当該第１の参照画素の画素値に近付けるように補正する（画素値を下げるか上げる）ものである。一つの方向にて補正条件が満たした場合の処理は図１４と同じである。
【０１３６】
図１７における補正条件と補正式との対応関係は、先の図１４の場合の表５と同じであるので省略する。また、図１７の処理フローは、基本的に図７と図１２の処理フローを一緒にしたものであるので、詳細な説明は省略する。
【０１３７】
ここでも、一例として、水平方向のＣ１〜Ｃ４（第１参照画素；Ｃ２、第２参照画素；Ｃ１、第３参照画素；Ｃ４）垂直方向のＡ３〜Ｄ３（第１参照画素；Ｂ２、第２参照画素；Ａ３、第３参照画素；Ｄ３）により補正条件を判定する場合を説明する。Ｃ１〜Ｃ４により、表５のａ１の補正条件を判定し（ステップ１４０１〜１４０３）、満たした場合、Ｄ３≦Ｃ３を判定し（ステップ１４０４）、判定結果がＹＥＳならば（表５のｃ１の補正条件も満たされる可能性がある）、表５のａ１の補正式を演算して（ステップ１４０５）、補正対象画素Ｃ３の画素値をＣ２の画素値に近付ける（画素値を下げる）。表５のａ１の補正条件が満たさない場合には、Ｃ１〜Ｃ４により、表５のａ２の補正条件を判定する（ステップ１４０６〜１４０８）。表５のａ２の補正条件が満たした場合、Ｄ３≦Ｃ３を判定し（ステップ１４０９）、判定結果がＹＥＳならば（表５のｃ２の補正条件も満たされる可能性がある）、表５のａ２の補正式を演算して（ステップ１４０５）、補正対象画素Ｃ３の画素値をＣ２の画素値に近付ける（画素値を上げる）。
【０１３８】
図１７の処理フローを図１５や図１６のそれと比較すれば明らかであるように、複数方向にて補正条件を満たした場合、満たした方向の組み合わせにより、予め定めた補正式を用いて補正対象画素の画素値を補正するようにすることにより、処理が簡略となる。このことから補正処理を行う回路規模が小さくなり、低コスト化することができる。また、複数方向にて補正条件を満たし、且つ参照画素値と補間画素の画素値の差が複数方向で異なることは、画像全体から見ると少なく、画質への影響は少ないことが多いので、画質の差が少ないのに低コストで、コントラストが向上した、見易い画像を表示することができる。
【０１３９】
図１８は、水平及び垂直方向の両方（一般には複数方向）にて補正条件を満した場合に、補正条件を満たした各々の第１の参照画素の画素値間の値（ここでは平均値）と補正対象画素の画素値との差を用いて、補正対象画素の画素値を補正する（画素値を下げるか上げる）ものである。一つの方向にて補正条件が満たした場合の処理は図１４と同じである。
【０１４０】
表６に水平及び垂直方向の両方で補正条件が満たした場合の、満たした方向の補正条件の組み合わせと適用する補正式との対応関係を示す。一つの方向で補正条件が満たした場合の補正条件と補正式との対応関係は、先の図１４の場合の表５と同じであるので省略する。
【０１４１】
【表６】
0005293923.tif 000007
【０１４２】
図１８の処理フローは、基本的に図８と図１３の処理フローを一緒にしたものであるので、詳細な説明は省略する。
【０１４３】
ここでも、一例として、水平方向のＣ１〜Ｃ４（第１参照画素；Ｃ２、第２参照画素；Ｃ１、第３参照画素；Ｃ４）と垂直方向のＡ３〜Ｄ３（第１参照画素；Ｂ３、第２参照画素；Ａ３、第３参照画素；Ｄ３）により補正条件を判定する場合を説明する。Ｃ１〜Ｃ４により、表５のａ１の補正条件を判定し（ステップ１５０１〜１５０３）、満たした場合、Ａ３〜Ｄ３により、表５のｃ１の補正条件を判定する（ステップ１５０４〜１５０６）。そして、表５のａ１とｃ１の補正条件が満たした場合、表６の１の補正式を演算して（ステップ１５０７）、補正対象画素Ｃ３の画素値を補正する（画素値を下げる）。すなわち、第１の参照画素Ｃ２とＢ３の平均値と補正対象画素Ｃ３の画素値との差を用いて補正処理を行う。表５のａ１の補正条件が満たさない場合には、Ｃ１〜Ｃ４により、表５のａ２の補正条件を判定し（ステップ１５０８〜１５１０）、満たした場合、Ａ３〜Ｄ３により、表５のｃ２の補正条件を判定する（ステップ１５１１〜１５１３）。そして、表５のａ２とｃ２の補正条件を満たした場合、表６の２の補正式を演算して（ステップ１５１４）、補正対象画素Ｃ３の画素値を補正する（画素値を上げる）。すなわち、第１の参照画Ｃ２とＢ３の平均値と補正対象画素Ｃ３の画素値との差を用いて補正処理を行う。
【０１４４】
図１８の場合、例えば、図１５と比較して処理が簡略になることから補正処理を行う回路規模が小さくなり、低コスト化することができる。また補正条件が複数方向で満たされた場合に、各々の参照画素値と補正対象画素値との差を用いて補正量をバランスを取りながら画像処理をすることとなり、低コストでコントラストが向上した、見易い画像を表示することができるようになる。
【実施例４】
【０１４５】
本実施例は、先の実施例１をカラー画像に拡張したものである。複数の色成分（原色成分）による表示では、補正処理の判断を個々に色成分で行うと、個々の色成分で異なる処理を行う場合があり、異なる処理を行うことにより色バランスが崩れる。
【０１４６】
本実施例は、各表示画素が複数の色成分で構成された画像において、実施例１の補正処理を行う条件が全ての色成分で整った場合、補正対象画素の画素値を下げることで、明るい隣接画素の表示への影響による画像（カラー黒）の浮き上がりを押さえて、複数の色成分の表示において色バランスがとれ、コントラストが向上した見易い画像を表示するものである。
【０１４７】
図１９乃至図２３に本実施例の処理フローチャートを示す。処理は図２の画像処理部２０が司る。なお、図２２と図２３が補正式選択部２４も使用する例である。以下、各処理フローチャートについて説明する。
【０１４８】
図１９は、図４の処理フローを各表示画素が複数の色成分（原色成分）で構成された画像に拡張し、水平または垂直方向に対して補正対象画素に隣接する一方の画素を第１の参照画素、他方の画素を第３の参照画素、補正対象画素から第１の参照画素を挟んだ位置に位置する画素を第２の参照画素としたとき、少なくとも水平または垂直方向に対して全ての色成分にて第１の参照画素の画素値が第２の参照画素の画素値未満で、第３の参照画素の画素値が補正対象画素の画素値以上であり、かつ、少なくとも一つの色成分で第１の参照画素の画素値が補正対象画素の画素値未満（他の色成分の第１参照画素の画素値と補正対象画素の画素値は等しい）である補正条件を満たす場合に、補正対象画素の画素値を第１の参照画素の画素値に近付けるように補正する（画素値を下げる）ものである。
図１９における補正条件と補正式との対応関係をまとめると表７のようになる。
【０１４９】
【表７】
0005293923.tif 000008
【０１５０】
ここで、Ｃ１，Ｃ２，Ｃ３，Ｃ４，Ａ３，Ｂ３，Ｄ３，Ｅ３は図２に示した通りであり、Ｃ３が補正対象画素である。ａとｂが水平方向の補正条件と補正式、ｃとｄが垂直方向の補正条件と補正式の対応関係を示し、それぞれ左側の補正条件が満たした場合、対応する右側の補正式を適用して補正対象画素Ｃ３の画素値を第１の参照画素（Ｃ２，Ｃ４，Ｂ３又はＤ３）の画素値に近付ける（画素値を下げる）。
表７の補正条件とすることで、解像度変換を行った画像における周囲より暗い一画素ピッチの画像のピークを判定することができる。
【０１５１】
図１９の処理フローは、図４の処理フローを各表示画素が複数の色成分で構成された場合に拡張したもので、処理は基本的に同じである。入力画像データの各画素毎に、該画素を補正対象画素Ｃ３として、表７のａ〜ｄの順番で左側の補正条件を満たすか判定し、満たした場合、その時点で左側の補正式を色成分の数だけ繰り返し演算して、補正対象画素Ｃ３の画素値を補正する（画素値を下げる）。また、表７のａ〜ｄの全ての補正条件が満たさない場合には、補正対象画素Ｃ３について補正処理を行わない（Ｃ３＝Ｃ３）。これを入力画像データがなくなるまで繰り返す。
【０１５２】
例えば、水平方向のＣ１〜Ｃ４（第１参照画素；Ｃ２、第２参照画素；Ｃ１、第３参照画素；Ｃ４）により、表７のａの補正条件を判定し（ステップ１６０１〜１６０４）、満たした場合、対応する右側の補正式を色成分の数だけ繰り返し演算して（ステップ１６０５〜１６０７）、補正対象画素Ｃ３の画素値を補正する。この結果、Ｃ３におけるＣ３＞Ｃ２の色成分の画素値が下がり、Ｃ２の画素値に近づく。
【０１５３】
図１９のように補正処理を行うことで、解像度変換処理を行った後の画像でも、隣接画素の表示への影響を最も受ける一画素ピッチの画像を補正することができ、明るい補正対象画素の明るい隣接画素の表示への影響による画像の浮き上がりを押さえ、しかも、全色成分を補正条件の判定に用いることにより、色ずれが発生せず、色バランスがとれ、コントラストが向上した見易い画像を表示することができる。
【０１５４】
図２０は水平及び垂直方向の両方（一般には複数方向）にて補正条件を満たすか判定し、満たした場合には、補正対象画素の画素値と補正条件を満たした水平及び垂直方向の第１の参照画素の画素値との差が小さい方の補正式を用いて、補正対象画素の画素値を当該第１の参照画素の画素値に近付けるように補正する（画素値を下げる）ものである。なお、一つの方向にて補正条件が満たした場合の処理は図１９と同じである。
【０１５５】
図２０における補正条件と補正式との対応関係は、先の図１９の場合の表７と同じであるので省略する。また、図２０の処理フローは、図５の処理フローを各表示画素が複数の色成分で構成された場合に拡張したもので、処理は基本的に同じである。
【０１５６】
例えば、水平方向のＣ１〜Ｃ４（第１参照画素；Ｃ２、第２参照画素；Ｃ１、第３参照画素；Ｃ４）により、表７のａの補正条件を満たすか判定し（ステップ１７０１〜１７０４）、満たした場合、垂直方向のＡ３〜Ｄ３（第１参照画素；Ｂ３、第２参照画素；Ａ３、第３参照画素；Ｄ３）により、表７のｃの補正条件を満たすか判定する（ステップ１７０５〜１７０８）。そして、表７のａとｃの補正条件が満たした場合、各色成分について、Ｃ２とＢ３の画素値を比較し、大きい方（Ｃ３との差が小さい）に対応する右側の補正式を演算して（ステップ１７０９，１７１０又は１７１１、１７１２、１７１３）、補正対象画素Ｃ３の画素値をＢ３あるいはＣ２の画素値に近付ける（画素値を下げる）。
【０１５７】
また、表７のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）により、表７のｄの補正条件を判定する（ステップ１７１４〜１７１６）。そして、表７のａとｄの補正条件が満たした場合、各色成分について、Ｃ２とＤ３の画素値を比較し、大きい方（Ｃ３との差が小さい）に対応する右側の補正式を演算して（ステップ１７１７、１７１８又は１７１９、１７２０、１７２１）、補正対象画素Ｃ３の画素値をＣ２あるいはＤ３の画素値に近付ける（画素値を下げる）。
【０１５８】
このように水平及び垂直方向の両方（一般には複数方向）にて補正条件を満たした場合に、各色成分について、補正対象画素Ｃ３と第１の参照画素と差が小さい方の補正式を用いて補正対象画素Ｃ３の画素値を補正する（画素値を下げる）ことで、色バランスがとれ、効果が大きくなりすぎることなく、表示画像のコントラストを向上させることができる。
【０１５９】
図２１は、図２０とは逆に、水平及び垂直方向の両方（一般には複数方向）にて補正条件を満たした場合に、補正対象画素の画素値と補正条件を満たした水平及び垂直方向の第１の参照画素の画素値との差が大きい方の補正式を用いて、補正対象画素の画素値を当該第１の参照画素の画素値に近付けるように補正する（画素値を下げる）ものである。一つの方向にて補正条件が満たした場合の処理は図１９と同じである。
【０１６０】
図２１における補正条件と補正式との対応関係は、先の図１９の場合の表７と同じであるので省略する。また、図２１の処理フローは、図６の処理フローを各表示画素が複数の色成分で構成された場合に拡張したもので、処理は基本的に同じである。
【０１６１】
例えば、水平方向のＣ１〜Ｃ４（第１参照画素；Ｃ２、第２参照画素；Ｃ１、第３参照画素；Ｃ４）により、表７のａの補正条件を満たすか判定し（ステップ１８０１〜１８０４）、満たした場合、垂直方向のＡ３〜Ｄ３（第１参照画素；Ｂ３、第２参照画素；Ａ３、第３参照画素；Ｄ３）により、表７のｃの補正条件を満たすか判定する（ステップ１８０５〜１８０８）。そして、表７のａとｃの補正条件が満たした場合、各色成分について、Ｃ２とＢ３の画素値を比較し、小さい方（Ｃ３との差が大きい）に対応する右側の補正式を演算して（ステップ１８０９、１８１０又は１８１１、１８１２、１８１３）、補正対象画素Ｃ３の画素値をＢ３あるいはＣ２の画素値に近付ける（画素値を下げる）。
【０１６２】
また、表７のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）により、表７のｄの補正条件を判定する（ステップ１８１４〜１８１６）。そして、表７のａとｄの補正条件が満たした場合、Ｃ２とＤ３の画素値を比較し、小さい方（Ｃ３との差が大きい）に対応する右側の補正式を演算して（ステップ１８１７、１８１８又は１８１９、１８２０、１８２１）、補正対象画素Ｃ３の画素値をＣ２あるいはＤ３の画素値に近付ける（画素値を下げる）。
【０１６３】
このように、水平及び垂直方向の両方（一般には複数方向）にて補正条件を満たした場合に、補正対象画素Ｃ３と第１の参照画素と差が大きい方の補正式を用いて補正対象画素Ｃ３の画素値を補正する（画素値を下げる）ことで、差の小さい参照画素側に過剰な補正がかかる場合もあるが、その頻度は一般に少なく、画像全体では影響が微妙であり、定数Ｚ（補正割合）の値により英気用を軽減することもできる。その影響に比べ、はるかにコントラストが向上し、色バランスがとれた、見易い画像を表示することができる。
【０１６４】
図２２は、水平及び垂直方向の両方（一般には複数方向）にて補正条件を満たした場合に、満たした方向の組合せにより、予め定めた補正式を用いて、補正対象画素の画素値を当該第１の参照画素の画素値に近付けるように補正する（画素値を下げる）ものである。一つの方向にて補正条件が満たした場合の処理は図１９と同じである。
【０１６５】
図２２における補正条件と補正式との対応関係は、先の図１９の場合の表７と同じであるので省略する。また、図２２の処理フローは、図７の処理フローを各表示画素が複数の色成分で構成された場合に拡張したもので、処理は基本的に同じである。
【０１６６】
例えば、水平方向のＣ１〜Ｃ４（第１参照画素；Ｃ２、第２参照画素；Ｃ１、第３参照画素；Ｃ４）により、表７のａの補正条件を満たすか判定する（ステップ１９０１〜１９０４）。満たした場合、全色成分がＤ３≧Ｃ３か判定し（ステップ１９０５）、判定結果がＹＥＳならば、各色成分について、表７のａの右側の補正式を演算して（ステップ１９０６〜１９０８）、補正対象画素Ｃ３の画素値をＣ２の画素値に近付ける（画素値を下げる）。すなわち、表７のａの補正条件が満たし、かつ、ｃの補正条件が満たす場合（満たす可能性がある場合）には、ａの補正式を用いて補正対象画素Ｃ３の画素値を補正する。
【０１６７】
また、Ｄ３≧Ｃ３の判定結果がＮＯの場合には、表７のｄの補正条件を判定し（ステップ１９０９〜１９１１）、満たした場合には、すなわち、表７のａとｄの補正条件が満たした場合、各色成分について、表７のｄの右側の補正式を演算して（ステップ１９１２〜１９１４）、補正対象画素Ｃ３の画素値をＤ３の画素値に近付ける（画素値を下げる）。
【０１６８】
図２２を図２０や図２１と比較すれば明らかであるように、複数方向にて補正条件を満たした場合、満たした方向の組み合わせにより、予め定めた補正式を用いて補正対象画素の画素値を補正するようにすることにより、処理が簡略となる。このことから補正処理を行う回路規模が小さくなり、低コスト化することができる。また、複数方向にて補正条件を満たし、且つ参照画素値と補間画素の画素値の差が複数方向で異なることは、画像全体から見ると少なく、画質への影響は少ないことが多いので、画質の差が少ないのに低コストで、色バランスがとれ、コントラストが向上した、見易い画像を表示することができる。
【０１６９】
図２３は、水平及び垂直方向の両方（一般には複数方向）にて補正条件を満した場合に、補正条件を満たした各々の第１の参照画素の画素値間の値（ここでは平均値）と補正対象画素の画素値との差を用いて、補正対象画素の画素値を補正する（画素値を下げる）ものである。一つの方向にて補正条件が満たした場合の処理は図１９と同じである。
【０１７０】
表８に水平及び垂直方向の両方で補正条件が満たした場合の、満たした方向の補正条件の組み合わせと適用する補正式との対応関係を示す。一つの方向で補正条件が満たした場合の補正条件と補正式との対応関係は、先の図１９の場合の表７と同じであるので省略する。
【０１７１】
【表８】
0005293923.tif 000009
【０１７２】
図２３の処理フローは、図８の処理フローを各表示画素が複数の色成分で構成された場合に拡張したもので、処理は基本的に同じである。
【０１７３】
例えば、水平方向のＣ１〜Ｃ４（第１参照画素；Ｃ２、第２参照画素；Ｃ１、第３参照画素；Ｃ４）により、表７のａの補正条件を満たすか判定し（ステップ２００１〜２００４）、満たした場合、垂直方向のＡ３〜Ｄ３（第１参照画素；Ｂ３、第２参照画素；Ａ３、第３参照画素；Ｄ３）により、表７のｃの補正条件を満たすか判定する（ステップ２００５〜２００８）。そして、表７のａとｃの補正条件が満たした場合、各色成分について、表８の１の補正式を演算して（ステップ２００９〜２０１１）、補正対象画素Ｃ３の画素値を補正する（画素値を下げる）。すなわち、第１の参照画素Ｃ２とＢ３の平均値と補正対象画素Ｃ３の画素値との差を用いて補正処理を行う。
【０１７４】
また、表７のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）の補正条件を判定する（ステップ２０１２〜２０１４）。そして、表７のａとｄの補正条件が満たした場合、各色成分について、表８の２の右側の補正式を演算して（ステップ２０１５〜２０１７）、補正対象画素Ｃ３の画素値を補正する（画素値を下げる）。すなわち、第１の参照画素Ｃ２とＤ３の平均値と補正対象画素Ｃ３の画素値との差を用いて補正処理を行う。
【０１７５】
図２３の場合、例えば、図２０と比較して処理が簡略になることから補正処理を行う回路規模が小さくなり、低コスト化することができる。また補正条件が複数方向で満たされた場合に、各々の参照画素値と補正対象画素値との差を用いて補正量をバランスを取りながら画像処理をすることとなり、低コストでコントラストが向上した、色バランスのとれた見易い画像を表示することができるようになる。
【実施例５】
【０１７６】
本実施例は、各表示画素が複数の色成分で構成された画像において、実施例４とは逆に、全色成分について画素の明るい隣接画素の表示への影響による画像（カラー白）の沈み込みを押さえて、色バランスがとれ、コントラストが向上した見易い画像を表示するものである。
【０１７７】
図２４乃至図２８に本実施例の処理フローチャートを示す。処理は図１の画像処理部２０が司る。なお、図２７と図２８が補正式選択部２４も使用する例である。以下、各処理フローチャートについて説明する。
【０１７８】
図２４は、各表示画素が複数の色成分で構成された画像において、水平または垂直方向に対して補正対象画素に隣接する一方の画素を第１の参照画素、他方の画素を第３の参照画素、補正対象画素から第１の参照画素を挟んだ位置に位置する画素を第２の参照画素としたとき、少なくとも水平または垂直方向に対して全ての色成分にて第２の参照画素の画素値が第１の参照画素の画素値未満で、第３の参照画素の画素値が補正対象画素の画素値以下であり、かつ、少なくとも一つの色成分で補正対象画素の画素値が第１の参照画素の画素値未満（他の色成分の第１参照画素の画素値と補正対象画素の画素値は等しい）である補正条件を満たす場合に、補正対象画素の画素値を第１の参照画素の画素値に近付けるように補正する（画素値を上げる）ものである。
【０１７９】
図２４における補正条件と補正式との対応関係をまとめると表９のようになる。
【０１８０】
【表９】
0005293923.tif 000010
【０１８１】
ここで、Ｃ１，Ｃ２，Ｃ３，Ｃ４，Ａ３，Ｂ３，Ｄ３，Ｅ３は図２に示した通りであり、Ｃ３が補正対象画素である。ａとｂが水平方向の補正条件と補正式、ｃとｄが垂直方向の補正条件と補正式の対応関係を示し、それぞれ、左側の補正条件が満たした場合、対応する右側の補正式を適用して補正対象画素Ｃ３の画素値を第１の参照画素（Ｃ２，Ｃ４，Ｂ３又はＤ３）の画素値に近付ける（画素値を上げる）。
このような補正条件とすることで、解像度変換を行った画像における周囲より明るい一画素ピッチの画像のピーク（白線等）を判定することができる。
【０１８２】
図２４の処理フローは、図９の処理フローを各表示画素が複数の色成分で構成された場合に拡張したもので、処理は基本的に同じである。入力画像データの各画素毎に、該画素を補正対象画素Ｃ３として、表９のａ〜ｄの順番で左側の補正条件を満たすか判定し、満たした場合、その時点で左側の補正式を色成分の数だけ繰り返し演算して、補正対象画素Ｃ３の画素値を補正する（画素値を上げる）。また、表９のａ〜ｄの全ての補正条件が満たさない場合には、補正対象画素Ｃ３について補正処理を行わない（Ｃ３＝Ｃ３）。これを入力画像データがなくなるまで繰り返す。
【０１８３】
例えば、水平方向のＣ１〜Ｃ４（第１参照画素；Ｃ２、第２参照画素；Ｃ１、第３参照画素；Ｃ４）により、表９のａの補正条件を判定し（ステップ２１０１〜２１０４）、満たした場合、対応する右側の補正式を色成分の数だけ繰り返し演算して（ステップ２１０５〜２１０７）、補正対象画素Ｃ３の画素値を第１の参照画素Ｃ２の画素値に近付けるように補正する（画素値を上げる）。
【０１８４】
図２４のように補正処理を行うことで、解像度変換処理を行った後の画像でも、隣接画素の表示への影響を最も受ける一画素ピッチの画像を補正することができ、暗い補正対象画素の明るい隣接画素の表示への影響による画像の沈み込みを押さえ、しかも、全色成分を補正条件の判定に用いることにより、色ずれが発生せず、色バランスがとれ、コントラストが向上した見易い画像を表示することができる。
【０１８５】
図２５は、水平及び垂直方向の両方（一般には複数方向）にて補正条件を満たすか判定し、満たした場合には、補正対象画素の画素値と補正条件を満たした水平及び垂直方向の第１の参照画素の画素値との差が小さい方の補正式を用いて、補正対象画素の画素値を当該第１の参照画素の画素値に近付けるように補正する（画素値を上げる）ものである。一つの方向にて補正条件が満たした場合の処理は図２４と同じである。
【０１８６】
図２５における補正条件と補正式との対応関係は、先の図２４の場合の表９と同じであるので省略する。また、図２５の処理フローは、図１０の処理フローを各表示画素が複数の色成分で構成された場合に拡張したもので、処理は基本的に同じである。
【０１８７】
例えば、水平方向のＣ１〜Ｃ４（第１参照画素；Ｃ２、第２参照画素；Ｃ１、第３参照画素；Ｃ４）により、表９のａの補正条件を満たすか判定し（ステップ２２０１〜２２０４）、満たした場合、垂直方向のＡ３〜Ｄ３（第１参照画素；Ｂ３、第２参照画素；Ａ３、第３参照画素；Ｄ３）により、表９のｃの補正条件を満たすか判定する（ステップ２２０５〜２２０８）。表９のａとｃの補正条件が満たした場合、各色成分について、Ｃ２とＢ３の画素値を比較し、大きい方（Ｃ３との差が小さい）に対応する右側の補正式を演算して（ステップ２２０９，２２１０又は２２１１、２２１２、２２１３）、補正対象画素Ｃ３の画素値をＢ３あるいはＣ２の画素値に近付ける（画素値を上げる）。
【０１８８】
表９のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）により、表９のｄの補正条件を判定する（ステップ２２１４〜２２１６）。表９のａとｄの補正条件が満たした場合、各色成分について、Ｃ２とＤ３の画素値を比較し、大きい方（Ｃ３との差が小さい）に対応する右側の補正式を演算して（ステップ２２１７、２２１８又は２２１９、２２２０、２２２１）、補正対象画素Ｃ３の画素値をＣ２あるいはＤ３の画素値に近付ける（画素値を上げる）。
【０１８９】
このように水平及び垂直方向の両方（一般には複数方向）にて補正条件を満たした場合に、各色成分について、補正対象画素Ｃ３と第１の参照画素と差が小さい方の補正式を用いて補正対象画素Ｃ３の画素値を補正する（画素値を上げる）ことで、効果が大きくなりすぎることなく、色バランスがとれ、表示画像のコントラストを向上させることができる。
【０１９０】
図２６は、図２５とは逆に、水平及び垂直方向の両方（一般には複数方向）にて補正条件を満たした場合に、補正対象画素の画素値と補正条件を満たした水平及び垂直方向の第１の参照画素の画素値との差が大きい方の補正式を用いて、補正対象画素の画素値を当該第１の参照画素の画素値に近付けるように補正する（画素値を上げる）ものである。一つの方向にて補正条件が満たした場合の処理は図２４と同じである。
【０１９１】
図２６における補正条件と補正式との対応関係は、先の図２４の場合の表９と同じであるので省略する。また、図２６の処理フローは、図１１の処理フローを各表示画素が複数の色成分で構成された場合に拡張したもので、処理は基本的に同じである。
【０１９２】
例えば、水平方向のＣ１〜Ｃ４（第１参照画素；Ｃ２、第２参照画素；Ｃ１、第３参照画素；Ｃ４）により、表９のａの補正条件を満たすか判定し（ステップ２３０１〜２３０４）、満たした場合、垂直方向のＡ３〜Ｄ３（第１参照画素；Ｂ３、第２参照画素；Ａ３、第３参照画素；Ｄ３）により、表９のｃの補正条件を満たすか判定する（ステップ２３０５〜２３０８）。表９のａとｃの補正条件が満たした場合、各色成分について、Ｃ２とＢ３の画素値を比較し、小さい方（Ｃ３との差が大きい）に対応する右側の補正式を演算して（ステップ２３０９、２３１０又は２３１１、２３１２、２３１３）、補正対象画素Ｃ３の画素値をＢ３あるいはＣ２の画素値に近付ける（画素値を上げる）。
【０１９３】
また、表９のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）により、表９のｄの補正条件を判定する（ステップ２３１４〜２３１６）。表９のａとｄの補正条件が満たした場合、各色成分について、Ｃ２とＤ３の画素値を比較し、小さい方（Ｃ３との差が大きい）に対応する右側の補正式を演算して（ステップ２３１７、２３１８又は２３１９、２３２０、２３２１）、補正対象画素Ｃ３の画素値をＣ２あるいはＤ３の画素値に近付ける（画素値を上げる）。
【０１９４】
このように、水平及び垂直方向の両方（一般には複数方向）にて補正条件を満たした場合に、補正対象画素Ｃ３と第１の参照画素と差が大きい方の補正式を用いて補正対象画素Ｃ３の画素値を補正する（画素値を上げる）ことで、同様にコントラストが向上し、色バランスがとれた、見易い画像を表示することができる。
【０１９５】
図２７は、水平及び垂直方向の両方（一般には複数方向）にて補正条件を満たした場合に、満たした方向の組合せにより、あらかじめ定めた補正式を用いて、補正対象画素の画素値を当該第１の参照画素の画素値に近付けるように補正する（画素値を上げる）ものである。一つの方向にて補正条件が満たした場合の処理は図２４と同じである。
【０１９６】
図２７における補正条件と補正式との対応関係は、先の図２４の場合の表９と同じであるので省略する。また、図２７の処理フローは、図１２の処理フローを各表示画素が複数の色成分で構成された場合に拡張したもので、処理は基本的に同じである。
【０１９７】
例えば、水平方向のＣ１〜Ｃ４（第１参照画素；Ｃ２、第２参照画素；Ｃ１、第３参照画素；Ｃ４）により、表９のａの補正条件を満たすか判定し（ステップ２４０１〜２４０４）、満たした場合、全色成分がＤ３≦Ｃ３か判定し（ステップ２４０５）、判定結果がＹＲＳならば、すなわち、表９のａの補正条件が満たし、ｃの補正条件も満たす場合（ｃの補正条件も満たされる可能性がある場合）、各色成分について、表９のａの右側の補正式を演算して（ステップ２４０６〜２４０８）、補正対象画素Ｃ３の画素値をＣ２の画素値に近付ける（画素値を上げる）。
【０１９８】
また、Ｄ３≦Ｃ３の判定結果がＮＯならば、表９のｄの補正条件を判定し（ステップ２４０９〜２４１１）、満たした場合には、すなわち、表９のａとｄの補正条件が満たした場合、各色成分について、表９のｄの右側の補正式を演算して（ステップ２４１２〜２４１４）、補正対象画素Ｃ３の画素値をＤ３の画素値に近付ける（画素値を上げる）。
【０１９９】
図２７の処理フローを図２５や図２６のそれとを比較すれば明らかであるように、複数方向にて補正条件を満たした場合、満たした方向の組み合わせにより、予め定めた補正式を用いて補正対象画素の画素値を補正するようにすることにより、処理が簡略となる。このことから補正処理を行う回路規模が小さくなり、低コスト化することができる。また、複数方向にて補正条件を満たし、且つ参照画素値と補間画素の画素値の差が複数方向で異なることは、画像全体から見ると少なく、画質への影響は少ないことが多いので、画質の差が少ないのに低コストで、色バランスがとれ、コントラストが向上した、見易い画像を表示することができる。
【０２００】
図２８は、水平及び垂直方向の両方（一般には複数方向）にて補正条件を満した場合に、補正条件を満たした各々の第１の参照画素の画素値間の値（ここでは平均値）と補正対象画素の画素値との差を用いて、補正対象画素の画素値を補正する（画素値を上げる）ものである。一つの方向にて補正条件が満たした場合の処理は図２４と同じである。
【０２０１】
表１０に水平及び垂直方向の両方で補正条件が満たした場合の、満たした方向の補正条件の組み合わせと適用する補正式との対応関係を示す。一つの方向で補正条件が満たした場合の補正条件と補正式との対応関係は、先の図２４の場合の表９同じであるので省略する。
【０２０２】
【表１０】
0005293923.tif 000011
【０２０３】
図２８の処理フローは、図１３の処理フローを各表示画素が複数の色成分で構成された場合に拡張したもので、処理は基本的に同じである。
【０２０４】
例えば、水平方向のＣ１〜Ｃ４（第１参照画素；Ｃ２、第２参照画素；Ｃ１、第３参照画素；Ｃ４）により、表９のａの補正条件を満たすか判定し（ステップ２５０１〜２５０４）、満たした場合、垂直方向のＡ３〜Ｄ３（第１参照画素；Ｂ３、第２参照画素；Ａ３、第３参照画素；Ｄ３）により、表９のｃの補正条件を満たすか判定する（ステップ２５０５〜２５０８）。そして、表９のａとｃの補正条件が満たした場合、各色成分について、表１０の１の補正式を演算して（ステップ２５０９〜２５１１）、補正対象画素Ｃ３の画素値を補正する（画素値を上げる）。すなわち、第１の参照画素Ｃ２とＢ３の平均値と補正対象画素Ｃ３の画素値との差を用いて補正処理を行う。
【０２０５】
また、表９のａの補正条件が満たし、ｃの補正条件が満たさない場合には、垂直方向のＢ３〜Ｅ３（第１参照画素；Ｄ３、第２参照画素；Ｅ３、第３参照画素；Ｂ３）により、表３のｄの補正条件を判定する（ステップ２５１２〜２５１４）。そして、表３のａとｄの補正条件が満たした場合、各色成分について、表１０の２の補正式を演算して（ステップ２５１７〜２５１７）、補正対象画素Ｃ３の画素値を補正する（画素値を上げる）。すなわち、第１の参照画素Ｃ２とＤ３の平均値と補正対象画素Ｃ３の画素値との差を用いて補正処理を行う。
【０２０６】
図２８の場合、例えば、図２５と比較して処理が簡略になることから補正処理を行う回路規模が小さくなり、低コスト化することができる。また補正条件が複数方向で満たされた場合に、各々の参照画素値と補正対象画素値との差を用いて補正量をバランスを取りながら画像処理をすることとなり、低コストでコントラストが向上した、色バランスのとれた見易い画像を表示することができるようになる。
【実施例６】
【０２０７】
本実施例は先の実施例４及び実施例５を組み合わせたものである。すなわち、各表示画素が複数の色成分で構成された画像において、明るいあるいは暗い補正対象画素の暗いあるいは明るい隣接画素の表示への影響による画像の沈み込み及び浮き上がりを押さえることで、複数の色成分の表示において色バランスがとれ、カラー黒及びカラー白のコントラストが向上した見易い画像を表示するものである。
【０２０８】
図２９乃至図３３に本実施例の処理フローチャートを示す。処理は図１の画像処理部２０が司る。図３２と図３３が補正式選択部２４も使用する例である。なお、図２９乃至図３３では、図の煩雑化を避けるため、判定ブロック内の色成分に関する記述は省略している。以下、各処理フローチャートについて説明する。
【０２０９】
図２９は、各表示画素が複数の色成分で構成された画像において、水平または垂直方向に対して補正対象画素に隣接する一方の画素を第１の参照画素、他方の画素を第３の参照画素、補正対象画素から第１の参照画素を挟んだ位置に位置する画素を第２の参照画素としたとき、少なくとも水平または垂直方向に対して全ての色成分の第１の参照画素の画素値が第２の参照画素の画素値未満で、第３の参照画素の画素値が補正対象画素の画素値以上であり、かつ少なくとも一つの色成分で第１の参照画素の画素値が補正対象画素の画素値未満（他の色成分の第１の参照画素の画素値と補正対象画素値は等しい）であるか、あるいは、全ての色成分にて第２の参照画素の画素値が第１の参照画素の画素値未満で、第３の参照画素が補正対象画素の画素値以下であり、かつ少なくとも一つの色成分で補正対象画素の画素値が第１の参照画素の画素値未満（他の色成分の第１の参照画素の画素値と補正対象画素値は等しい）である補正条件を満たす場合に、補正対象画素の画素値を第１の参照画素の画素値に近付けるように補正する（画素値を下げるか上げる）ものである。
図２９に処理フローにおける補正条件と補正式との対応関係をまとめると表１１のようになる。
【０２１０】
【表１１】
0005293923.tif 000012
【０２１１】
表１１は先の表７と表９を一緒にしたもので、ａ１，ｂ１，ｃ１，ｄ１が表７に対応し、
ａ２，ｂ２，ｃ２，ｄ２が表９にそれぞれ対応する。すなわち、ａ１，ｂ１，ｃ１，ｄ１
のいずれかの補正条件が満たした場合には、補正対象画素Ｃ３の画素値を下げ、ａ２，ｂ２，ｃ２，ｄ２のいずれかの補正条件が満たした場合には上げることで、補正対象画素Ｃ３の画素値を第１の参照画素（Ｃ２，Ｃ４，Ｂ３又はＤ３）の画素値に近付ける。このような２種類の補正条件を用いることで、解像度変換を行った画像における一画素ピッチの画像のカラー白黒ピークを判定することができる。
【０２１２】
図２９の処理フローは、図１４の処理フローを各表示画素が複数の色成分で構成された場合に拡張したもので、基本的に図１９と図２４の処理フローを一緒したものである。図１４と同様に、入力画像データの各画素毎に、該画素を補正対象画素Ｃ３として、表１１のａ１〜ｄ２の順番で左側の補正条件を満たすか判定し、満たした場合、その時点で右側の補正式を色成分の数だけ繰り返し演算して、補正対象画素Ｃ３の画素値を補正する（画素値を下げるか上げる）。また、ａ１〜ｄ２の全ての補正条件が満たさない場合には、補正対象画素Ｃ３について補正処理を行わない（Ｃ３＝Ｃ３）。これを入力画像データがなくなるまで繰り返す。
【０２１３】
一例として、水平方向のＣ１〜Ｃ４（第１参照画素；Ｃ２、第２参照画素；Ｃ１、第３参照画素；Ｃ４）により、補正条件を判定する場合を説明する。Ｃ１〜Ｃ４により、表１１のａ１の補正条件を判定し（ステップ２６０１〜２６０４）、満たした場合、対応する右側の補正式を色成分の数だけ繰り返し演算して（ステップ２６０５〜２６０７）、補正対象画素Ｃ３の画素値を下げて、第１の参照画素Ｃ２の画素値に近付ける。表１１のａ１の補正条件が満たさない場合には、Ｃ１〜Ｃ４により、表１１のａ２の補正条件を判定して（ステップ２６０８〜２６１２）、満たした場合には、同じく対応する右側の補正式を色成分の数だけ繰り返し演算して（ステップ２６０５〜２６０７）、補正対象画素Ｃ３の画素値を上げて、第１の参照画素Ｃ２の画素値に近付ける。
【０２１４】
本実施例によれば、解像度変換処理を行った後の画像でも、隣接画素の表示への影響を最も受ける一画素ピッチの画像を補正することができ、補正対象画素の隣接画素の表示への影響を押さえ、色バランスがとれ、コントラストが向上した見易い画像を表示することができる。
【０２１５】
図３０は、水平及び垂直方向の両方（一般には複数方向）にて補正条件を満たすか判定し、満たした場合には、補正対象画素の画素値と補正条件を満たした水平及び垂直方向の第１の参照画素の画素値との差が小さい方の補正式を用いて、補正対象画素の画素値を当該第１の参照画素の画素値に近付けるように補正する（画素値を下げるか上げる）ものである。一つの方向にて補正条件が満たした場合の処理は図２９と同じである。
【０２１６】
図３０における補正条件と補正式との対応関係は、先の図２９の場合の表１１と同じであるので省略する。また、図３０の処理フローは、図１５の処理フローを各表示画素が複数の色成分で構成された場合に拡張したもので、基本的に図２０と図２５の処理フローを一緒にしたものである。なお、図３０では、水平方向ａ１，ａ２，ｂ１，ｂ２の補正条件が満たされない場合以降の垂直方向ｃ１，ｃ２，ｄ１，ｄ２の補正条件を判定する処理は、図２９と同じであるため、省略している。これは図３１乃至図３３でも同様である。
【０２１７】
一例として、水平方向のＣ１〜Ｃ４（第１参照画素；Ｃ２、第２参照画素；Ｃ１、第３参照画素；Ｃ４）と垂直方向のＡ３〜Ｄ３（第１参照画素；Ｂ３、第２参照画素；Ａ３、第３参照画素；Ｄ３）により補正条件を判定する場合を説明する。Ｃ１〜Ｃ４により、表１１のａ１の補正条件を判定し（ステップ２７０１〜２７０４）、満たした場合、Ａ３〜Ｄ３により、表１１のｃ１の補正条件を満たすか判定する（ステップ２７０５〜２７０８）。そして、表１１のａ１とｃ１の補正条件が満たした場合、色成分について、Ｃ２とＢ３の画素値を比較し、大きい方（Ｃ３との差が小さい）に対応する右側の補正式を演算して（ステップ２７０９、２７１０又は２７１１、２７１２、２７１３）、補正対象画素Ｃ３の画素値をＢ３あるいはＣ２の画素値に近付ける（画素値を下げる）。表１１のａ１の補正条件を満たさない場合には、Ｃ１〜Ｃ４により、表１１のａ２の補正条件を判定し（ステップ２７１４〜２７１８）、満たした場合、表１１のｃ２の補正条件を判定する（ステップ２７１９〜２７２２）。そして、表１１のａ２とｃ２の補正条件が満たした場合、各色成分について、Ｃ２とＢ３の画素値を比較し、大きい方（Ｃ３との差が小さい）に対応する右側の補正式を演算して（ステップ２７２３、２７２４又は２７２５、２７２６、２７２７）、補正対象画素Ｃ３の画素値をＢ３あるいはＣ２の画素値に近付ける（画素値を上げる）。
【０２１８】
図３１は、図３０とは逆に、水平及び垂直方向の両方（一般には複数方向）にて補正条件を満すか判定して、満たした場合には、補正対象画素の画素値と補正条件を満たした水平及び垂直方向の第１の参照画素の画素値との差が大きい方の補正式を用いて、補正対象画素の画素値を当該第１の参照画素の画素値に近付けるように補正する（画素値を下げるか上げる）ものである。一つの方向にて補正条件が満たした場合の処理は図２９と同じである。
【０２１９】
図３１における補正条件と補正式との対応関係は、先の図２９の場合の表１１と同じであるので省略する。また、図３１の処理フローは、図１６の処理フローを各表示画素が複数の色成分で構成された場合に拡張したもので、基本的に図２１と図２６の処理フローを一緒したものである。
【０２２０】
ここでも、一例として、水平方向のＣ１〜Ｃ４（第１参照画素；Ｃ２、第２参照画素；Ｃ１、第３参照画素；Ｃ４）と垂直方向のＡ３〜Ｄ３（第１参照画素；Ｂ３、第２参照画素；Ａ３、第３参照画素；Ｄ３）により補正条件を判定する場合を説明する。Ｃ１〜Ｃ４により、表１１のａ１の補正条件を満たすか判定し（ステップ２８０１〜２８０４）、満たした場合、Ａ３〜Ｄ３により、表１１のｃ１の補正条件を満たすか判定する（ステップ２８０５〜２８０８）。そして、表１１のａ１とｃ１の補正条件が満たした場合、各色成分について、Ｃ２とＢ３の画素値を比較し、小さい方（Ｃ３との差が大きい）に対応する右側の補正式を演算して（ステップ２８０９、２８１０又は２８１１、２９１２、２８１３）、補正対象画素Ｃ３の画素値をＢ３あるいはＣ２の画素値に近付ける（画素値を下げる）。表１１のａ１の補正条件を満たさない場合には、Ｃ１〜Ｃ４により、表１１のａ２の補正条件を判定し（ステップ２８１４〜２８１８）、満たした場合、Ａ３〜Ｄ３により、表１１のｃ２の補正条件を判定する（ステップ２８１９〜２８２２）。そして、表１１のａ２とｃ２の補正条件を満たした場合、各色成分について、Ｃ２とＢ３の画素値を比較し、小さい方（Ｃ３との差が大きい）に対応する右側の補正式を演算して（ステップ２８２３，２８２４又は２８２５、２８２６、２８２７）、補正対象画素Ｃ３の画素値をＢ３あるいはＣ２の画素値に近付ける（画素値を上げる）。
【０２２１】
図３２は、水平及び垂直方向の両方（一般には複数方向）にて補正条件を満たした場合に、満たした方向の組合せにより、あらかじめ定めた補正式を用いて、補正対象画素の画素値を当該第１の参照画素の画素値に近付けるように補正する（画素値を下げるか上げる）ものである。一つの方向にて補正条件が満たした場合の処理は図２９と同じである。
【０２２２】
図３２における補正条件と補正式との対応関係は、先の図２９の場合の表１１と同じであるので省略する。また、図３２の処理フローは、図１７の処理フローを各表示画素が複数の色成分で構成された場合に拡張したもので、基本的に図２２と図２７の処理フローを一緒にしたものである。
【０２２３】
ここでも、一例として、水平方向のＣ１〜Ｃ４（第１参照画素；Ｃ２、第２参照画素；Ｃ１、第３参照画素；Ｃ４）垂直方向のＡ３〜Ｄ３（第１参照画素；Ｂ２、第２参照画素；Ａ３、第３参照画素；Ｄ３）により補正条件を判定する場合を説明する。Ｃ１〜Ｃ４により、表１１のａ１の補正条件を判定し（ステップ２９０１〜２９０４）、満たした場合、全色成分がＢ３≧Ｃ３か判定し（ステップ２９０５）、判定結果がＮＯならば（表１１のｃ１の補正条件も満たされる可能性がある）、表１１のａ１の補正式を色成分の数だけ繰り返し演算して（ステップ２９０６〜２９０８）、補正対象画素Ｃ３の画素値をＣ２の画素値に近付ける（画素値を下げる）。表１１のａ１の補正条件が満たさない場合には、Ｃ１〜Ｃ４により、表１１のａ２の補正条件を判定する（ステップ２９０９〜２９１３）。表１１のａ２の補正条件が満たした場合、全色成分がＢ３≧Ｃ３か判定し（ステップ２９１４）、判定結果がＹＥＳならば（表１１のｃ２の補正条件も満たされる可能性がある）、表１１のａ２の補正式を色成分の数だけ演算して（ステップ２９１５〜２９１７）、補正対象画素Ｃ３の画素値をＣ２の画素値に近付ける（画素値を上げる）。
【０２２４】
図３２の処理フローを図３０や図３１のそれと比較すれば明らかであるように、複数方向にて補正条件を満たした場合、満たした方向の組み合わせにより、予め定めた補正式を用いて補正対象画素の画素値を補正するようにすることにより、処理が簡略となる。このことから補正処理を行う回路規模が小さくなり、低コスト化することができる。また、複数方向にて補正条件を満たし、且つ参照画素値と補間画素の画素値の差が複数方向で異なることは、画像全体から見ると少なく、画質への影響は少ないことが多いので、画質の差が少ないのに低コストで、色バランスがとれ、コントラストが向上した、見易い画像を表示することができる。
【０２２５】
図３３は、水平及び垂直方向の両方（一般には複数方向）にて補正条件を満した場合に、補正条件を満たした各々の第１の参照画素の画素値間の値（ここでは平均値）と補正対象画素の画素値との差を用いて、補正対象画素の画素値を補正する（画素値を下げるか上げる）ものである。一つの方向にて補正条件が満たした場合の処理は図２９と同じである。
【０２２６】
表１２に水平及び垂直方向の両方で補正条件が満たした場合の、満たした方向の補正条件の組み合わせと適用する補正式との対応関係を示す。一つの方向で補正条件が満たした場合の補正条件と補正式との対応関係は、先の図２９の場合の表１１と同じであるので省略する。
【０２２７】
【表１２】
0005293923.tif 000013
【０２２８】
図３３の処理フローは、図１８の処理フローを各表示画素が複数の色成分で構成された場合に拡張したもので、基本的に図２３と図２８の処理フローを一緒にしたものである。
ここでも、一例として、水平方向のＣ１〜Ｃ４（第１参照画素；Ｃ２、第２参照画素；Ｃ１、第３参照画素；Ｃ４）と垂直方向のＡ３〜Ｄ３（第１参照画素；Ｂ３、第２参照画素；Ａ３、第３参照画素；Ｄ３）により補正条件を判定する場合を説明する。Ｃ１〜Ｃ４により、表１１のａ１の補正条件を判定し（ステップ３００１〜３００４）、満たした場合、Ａ３〜Ｄ３により、表１１のｃ１の補正条件を判定する（ステップ３３０５〜３００８）。そして、表１１のａ１とｃ１の補正条件が満たした場合、表１２の１の補正式を色成分の数だけ演算して（ステップ３００９〜３０１１）、補正対象画素Ｃ３の画素値を補正する（画素値を下げる）。すなわち各色成分について、第１の参照画素Ｃ２とＢ３の平均値と補正対象画素Ｃ３の画素値との差を用いて補正処理を行う。表１１のａ１の補正条件が満たさない場合には、Ｃ１〜Ｃ４により、表１１のａ２の補正条件を判定し（ステップ３０１２〜３０１６）、満たした場合、Ａ３〜Ｄ３により、表１１のｃ２の補正条件を判定する（ステップ３０１７〜３０２０）。そして、表１１のａ２とｃ２の補正条件を満たした場合、表１２の２の補正式を色成分の数だけ演算して（ステップ３０２１〜３０２３）、補正対象画素Ｃ３の画素値を補正する（画素値を上げる）。すなわち、各色成分について、第１の参照画Ｃ２とＢ３の平均値と補正対象画素Ｃ３の画素値との差を用いて補正処理を行う。
【０２２９】
図３３の場合、例えば、図３０と比較して処理が簡略になることから補正処理を行う回路規模が小さくなり、低コスト化することができる。また補正条件が複数方向で満たされた場合に、各々の参照画素値と補正対象画素値との差を用いて補正量をバランスを取りながら画像処理をすることとなり、低コストで色バランスがとれ、コントラストが向上した、見易い画像を表示することができるようになる。
【０２３０】
以上、種々の実施例について説明したが、各実施例で示した処理手順をコンピュータのプログラムで構成し、そのプログラムをコンピュータに実行させることができることは言うまでもなく、コンピュータにその処理手順を実行させるためのプログラムを、そのコンピュータが読み取り可能な記録媒体、例えば、ＦＤ、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【図面の簡単な説明】
【０２３１】
【図１】本発明が適用される画像表示装置の構成例を示すブロック図。
【図２】本発明の実施例で使用される補正対象画素と参照画素の位置関係を示す図。
【図３】本発明の原理を説明するための図。
【図４】実施例１のケース１の処理フローチャート。
【図５】実施例１のケース２の処理フローチャート。
【図６】実施例１のケース３の処理フローチャート。
【図７】実施例１のケース４の処理フローチャート。
【図８】実施例１のケース５の処理フローチャート。
【図９】実施例２のケース１の処理フローチャート。
【図１０】実施例２のケース２の処理フローチャート。
【図１１】実施例２のケース３の処理フローチャート。
【図１２】実施例２のケース４の処理フローチャート。
【図１３】実施例２のケース５の処理フローチャート。
【図１４】実施例３のケース１の処理フローチャート。
【図１５】実施例３のケース２の処理フローチャート。
【図１６】実施例３のケース３の処理フローチャート。
【図１７】実施例３のケース４の処理フローチャート。
【図１８】実施例３のケース５の処理フローチャート。
【図１９】実施例４のケース１の処理フローチャート。
【図２０】実施例４のケース２の処理フローチャート。
【図２１】実施例４のケース３の処理フローチャート。
【図２２】実施例４のケース４の処理フローチャート。
【図２３】実施例４のケース５の処理フローチャート。
【図２４】実施例５のケース１の処理フローチャート。
【図２５】実施例５のケース２の処理フローチャート。
【図２６】実施例５のケース３の処理フローチャート。
【図２７】実施例５のケース４の処理フローチャート。
【図２８】実施例５のケース５の処理フローチャート。
【図２９】実施例６のケース１の処理フローチャート。
【図３０】実施例６のケース２の処理フローチャート。
【図３１】実施例６のケース３の処理フローチャート。
【図３２】実施例６のケース４の処理フローチャート。
【図３３】実施例６のケース５の処理フローチャート。
【図３４】本発明の具体的処理例を示す図。
【図３５】本発明の他の具体的処理例を示す図。
【図３６】画素ずらしによる表示の表示画素及び表示範囲例を示す図。
【符号の説明】
【０２３２】
１０  入力画像データ記憶部
２０  画像処理部
２２  補正条件判定部
２４  補正式選択部
２６  画素補正処理部
３０  出力画像データ記憶部
４０  表示部
【図１】
0005293923.tif 000014
【図２】
0005293923.tif 000015
【図３】
0005293923.tif 000016
【図４】
0005293923.tif 000017
【図５】
0005293923.tif 000018
【図６】
0005293923.tif 000019
【図７】
0005293923.tif 000020
【図８】
0005293923.tif 000021
【図９】
0005293923.tif 000022
【図１０】
0005293923.tif 000023
【図１１】
0005293923.tif 000024
【図１２】
0005293923.tif 000025
【図１３】
0005293923.tif 000026
【図１４】
0005293923.tif 000027
【図１５】
0005293923.tif 000028
【図１６】
0005293923.tif 000029
【図１７】
0005293923.tif 000030
【図１８】
0005293923.tif 000031
【図１９】
0005293923.tif 000032
【図２０】
0005293923.tif 000033
【図２１】
0005293923.tif 000034
【図２２】
0005293923.tif 000035
【図２３】
0005293923.tif 000036
【図２４】
0005293923.tif 000037
【図２５】
0005293923.tif 000038
【図２６】
0005293923.tif 000039
【図２７】
0005293923.tif 000040
【図２８】
0005293923.tif 000041
【図２９】
0005293923.tif 000042
【図３０】
0005293923.tif 000043
【図３１】
0005293923.tif 000044
【図３２】
0005293923.tif 000045
【図３３】
0005293923.tif 000046
【図３４】
0005293923.tif 000047
【図３５】
0005293923.tif 000048
【図３６】
0005293923.tif 000049